(57)【要約】【課題】凝縮性能を向上させる。【解決手段】凝縮装置２０Ｎは、凝縮器４１を備える。凝縮器４１は、鉛直方向に相互間隔をあけ且つ各々が鉛直方向に対向するように配置された複数の凝縮フィン５０Ｈを含む。凝縮フィン５０Ｈの外周縁は、凝縮フィン５０Ｈの内側に向かって延びる切込部７５を含む。凝縮フィン５０Ｈには、ドレン水供給部からドレン水が供給される。【選択図】図３８
2014059072.tif 000002
【特許請求の範囲】
【請求項１】
鉛直方向に相互間隔をあけ且つ各々が鉛直方向に対向するように配置された複数の凝縮フィンを含み、ドレン水供給部から前記凝縮フィンにドレン水が供給される凝縮器を備え、
前記凝縮フィンの外周縁は、前記凝縮フィンの内側に向かって延びる切込部を含み、
前記凝縮フィンは、前記ドレン水供給部から前記凝縮フィンの表面に供給された前記ドレン水と前記凝縮フィンの周囲を流れる気流とによって冷やされながら、前記凝縮フィンに接触するように配置された冷媒管内を流れる冷媒と熱交換する、
凝縮装置。
【請求項２】
前記切込部のうちの最内側の部分は、尖り形状を有する、
請求項１に記載の凝縮装置。
【請求項３】
前記切込部は、前記凝縮フィンの内側に向かうにつれて幅狭となるテーパー形状を有する、
請求項１または２に記載の凝縮装置。
【請求項４】
前記切込部は、前記切込部をこれに対向する前記凝縮フィンに向かって鉛直方向に投影したときに得られる投影形状が、その対向する前記凝縮フィンに設けられた前記切込部と重ならないようにずれて配置されている、
請求項１から３のいずれかに記載の凝縮装置。
【請求項５】
前記切込部を形成する前記凝縮フィンの外周縁は、前記凝縮フィンの上面から前記切込部の内側に向かうにつれて下方に向かって湾曲する表面形状を有する、
請求項１から４のいずれかに記載の凝縮装置。
【請求項６】
前記凝縮フィンには、前記凝縮フィンの上面上に供給された前記ドレン水を下方に向かって導水するための貫通孔が設けられる、
請求項１から５のいずれかに記載の凝縮装置。
【請求項７】
前記貫通孔は、前記貫通孔をこれに対向する前記凝縮フィンに向かって鉛直方向に投影したときに得られる投影形状が、その対向する前記凝縮フィンに設けられた前記貫通孔と重ならないようにずれて配置されている、
請求項６に記載の凝縮装置。
【請求項８】
最上部に位置する前記凝縮フィンに上方から対向するように配置されたエンドプレートをさらに備え、
前記エンドプレートは、前記ドレン水供給部から前記エンドプレートの上面上に供給された前記ドレン水を下方に向かって導水するための導水孔を有する、
請求項１から７のいずれかに記載の凝縮装置。
【請求項９】
前記凝縮フィンの上面の一部には、下方に向かって凹む形状を有する凹部が設けられる、
請求項１から８のいずれかに記載の凝縮装置。
【請求項１０】
最下部に位置する前記凝縮フィンよりも下方に配置されたドレンパンをさらに備え、
前記凝縮フィンの表面に供給された前記ドレン水は、前記凝縮フィンの表面に付着した埃とともに前記ドレンパン内に向かって落下する、
請求項１から９のいずれかに記載の凝縮装置。
【請求項１１】
前記凝縮フィンの外周縁は、前記凝縮フィンの外側に向かって凸となる凸状部と前記凝縮フィンの内側に向かって凹となる凹状部とが複数並ぶことにより形成された凹凸部を含む、
請求項１から１０のいずれかに記載の凝縮装置。
【請求項１２】
請求項１から１１のいずれかに記載の凝縮装置を備える、
冷凍冷蔵庫。
【発明の詳細な説明】
【技術分野】
【０００１】
本発明は、凝縮装置および冷凍冷蔵庫に関し、特に、ドレン水を用いて凝縮フィンを放熱させる凝縮装置、およびそのような凝縮装置を備える冷凍冷蔵庫に関する。
【背景技術】
【０００２】
特開平０７−１６７５４８号公報（特許文献１）は、冷凍冷蔵庫に関する発明を開示している。この冷凍冷蔵庫は、凝縮器と、蒸発器のドレン水を凝縮器上に落とすドレン水配管とを備える。同公報は、ドレン水が蒸発する時に潜熱が凝縮器から奪われることによって、凝縮器の放熱性能を向上させることができると述べている。
【０００３】
特開平０７−１７４４５４号公報（特許文献２）も、冷凍冷蔵庫に関する発明を開示している。この冷凍冷蔵庫は、凝縮器と、凝縮器の冷却空気吸入側の上方にドレン水排出口を有するドレン配管とを備える。同公報は、フィルタを用いることなく凝縮器に埃が付着することを防止することができると述べている。
【０００４】
特開２０００−３０４４８４号公報（特許文献３）も、冷凍冷蔵庫に関する発明を開示している。この冷凍冷蔵庫に用いられる熱交換器は、複数のフィンを備え、各フィンの両端辺には片持ち状の切り起こし片が複数設けられ、切り起こし辺の曲げ角は順次異なっている。同公報は、切り起こし辺で空気流に対し前縁効果が得られるため、熱交換性能を向上させることができると述べている。
【０００５】
特開２００５−２２１２２８号公報（特許文献４）も、冷凍冷蔵庫に関する発明を開示している。この冷凍冷蔵庫は、蒸発器を除霜するガラス管ヒータと、蒸発器に設けられた複数のフィンとを備え、ガラス管ヒータとフィンの端部とは互いに接触している。同公報は、輻射熱を利用した除霜に加え、熱伝導による除霜効果も加わるために除霜効率を向上させることができると述べている。
【０００６】
特開２００８−０１４５７１号公報（特許文献５）も、冷凍冷蔵庫に関する発明を開示している。この冷凍冷蔵庫に用いられる熱交換器は、フィン材と、フィン材に設けられた円筒状のカラー部とを備える。カラー部と冷媒配管との接合部分の外表面を含むクロスフィンチューブの表面には合成樹脂層が形成され、合成樹脂層の表面には親水性樹脂層が形成されている。同公報は、食品から発生するガス等が冷媒配管とフィン材との間の接合部分に侵入することは抑制され、耐食性を向上させることができると述べている。
【０００７】
特開昭６３−３１８４９６号公報（特許文献６）は、熱交換器の表面処理方法に関する発明を開示している。この表面処理方法においては、１度の表面処理工程により、親水性および防食性などが熱交換器に付与される。同公報は、この表面処理方法によれば、従来とほとんど変わらないコストで親水性および防食性などを熱交換器に付与することができると述べている。
【先行技術文献】
【特許文献】
【０００８】
【特許文献１】特開平０７−１６７５４８号公報
【特許文献２】特開平０７−１７４４５４号公報
【特許文献３】特開２０００−３０４４８４号公報
【特許文献４】特開２００５−２２１２２８号公報
【特許文献５】特開２００８−０１４５７１号公報
【特許文献６】特開昭６３−３１８４９６号公報
【発明の概要】
【発明が解決しようとする課題】
【０００９】
本発明は、従来に比べて高い凝縮性能を発揮することが可能な凝縮装置、およびそのような凝縮装置を備える冷凍冷蔵庫を提供することを目的とする。
【課題を解決するための手段】
【００１０】
本発明に基づく凝縮装置は、鉛直方向に相互間隔をあけ且つ各々が鉛直方向に対向するように配置された複数の凝縮フィンを含み、ドレン水供給部から上記凝縮フィンにドレン水が供給される凝縮器を備え、上記凝縮フィンの外周縁は、上記凝縮フィンの内側に向かって延びる切込部を含み、上記凝縮フィンは、上記ドレン水供給部から上記凝縮フィンの表面に供給された上記ドレン水と上記凝縮フィンの周囲を流れる気流とによって冷やされながら、上記凝縮フィンに接触するように配置された冷媒管内を流れる冷媒と熱交換する。
【００１１】
好ましくは、上記切込部のうちの最内側の部分は、尖り形状を有する。好ましくは、上記切込部は、上記凝縮フィンの内側に向かうにつれて幅狭となるテーパー形状を有する。
【００１２】
好ましくは、上記切込部は、上記切込部をこれに対向する上記凝縮フィンに向かって鉛直方向に投影したときに得られる投影形状が、その対向する上記凝縮フィンに設けられた上記切込部と重ならないようにずれて配置されている。
【００１３】
好ましくは、上記切込部を形成する上記凝縮フィンの外周縁は、上記凝縮フィンの上面から上記切込部の内側に向かうにつれて下方に向かって湾曲する表面形状を有する。
【００１４】
好ましくは、上記凝縮フィンには、上記凝縮フィンの上面上に供給された上記ドレン水を下方に向かって導水するための貫通孔が設けられる。
【００１５】
好ましくは、上記貫通孔は、上記貫通孔をこれに対向する上記凝縮フィンに向かって鉛直方向に投影したときに得られる投影形状が、その対向する上記凝縮フィンに設けられた上記貫通孔と重ならないようにずれて配置されている。
【００１６】
好ましくは、最上部に位置する上記凝縮フィンに上方から対向するように配置されたエンドプレートをさらに備え、上記エンドプレートは、上記ドレン水供給部から上記エンドプレートの上面上に供給された上記ドレン水を下方に向かって導水するための導水孔を有する。
【００１７】
好ましくは、上記凝縮フィンの上面の一部には、下方に向かって凹む形状を有する凹部が設けられる。
【００１８】
好ましくは、最下部に位置する上記凝縮フィンよりも下方に配置されたドレンパンをさらに備え、上記凝縮フィンの表面に供給された上記ドレン水は、上記凝縮フィンの表面に付着した埃とともに上記ドレンパン内に向かって落下する。
【００１９】
好ましくは、上記凝縮フィンの外周縁は、上記凝縮フィンの外側に向かって凸となる凸状部と上記凝縮フィンの内側に向かって凹となる凹状部とが複数並ぶことにより形成された凹凸部を含む。
【００２０】
本発明に基づく冷凍冷蔵庫は、本発明に基づく上記の凝縮装置を備える。
【発明の効果】
【００２１】
本発明によれば、従来に比べて高い凝縮性能を発揮することが可能な凝縮装置、およびそのような凝縮装置を備える冷凍冷蔵庫を得ることができる。
【図面の簡単な説明】
【００２２】
【図１】実施の形態１における冷凍冷蔵庫を示す断面図である。
【図２】実施の形態１の冷凍冷蔵庫に用いられる凝縮装置を示す斜視図である。
【図３】実施の形態１の冷凍冷蔵庫に用いられる凝縮装置の分解した状態を示す斜視図である。
【図４】実施の形態１の冷凍冷蔵庫に用いられる凝縮装置の凝縮フィンを示す斜視図である。
【図５】実施の形態１の冷凍冷蔵庫に用いられる凝縮装置にドレン水が供給されている様子を示す斜視図である。
【図６】実施の形態１の冷凍冷蔵庫に用いられる凝縮装置にドレン水が供給されている様子を示す側面図である。
【図７】実施の形態１の冷凍冷蔵庫に用いられる凝縮装置を示す他の斜視図である。
【図８】実施の形態１の冷凍冷蔵庫に用いられる凝縮装置および他の構成を示す斜視図である。
【図９】実施の形態１の第１変形例における凝縮装置を示す斜視図である。
【図１０】実施の形態１の第１変形例における凝縮装置および他の構成を示す斜視図である。
【図１１】実施の形態１の第２変形例における凝縮装置を示す第１斜視図である。
【図１２】実施の形態１の第２変形例における凝縮装置を示す第２斜視図である。
【図１３】実施の形態１の第３変形例における凝縮装置を示す斜視図である。
【図１４】実施の形態１の第３変形例における凝縮装置および他の構成を示す側面図である。
【図１５】実施の形態１の第４変形例における凝縮装置を示す側面図である。
【図１６】実施の形態１の第５変形例における凝縮装置を示す斜視図である。
【図１７】実施の形態１の第５変形例における凝縮装置を示す側面図である。
【図１８】実施の形態１の第６変形例における凝縮装置を示す斜視図である。
【図１９】実施の形態１の第７変形例に関する凝縮装置を示す斜視図である。
【図２０】実施の形態１の第７変形例に関する他の凝縮装置を示す斜視図である。
【図２１】実施の形態１の第８変形例における凝縮装置を示す側面図である。
【図２２】実施の形態１の第９変形例における凝縮装置を示す側面図である。
【図２３】実施の形態１の第１０変形例における凝縮装置を示す斜視図である。
【図２４】実施の形態１の第１１変形例における凝縮装置を示す斜視図である。
【図２５】実施の形態２における凝縮装置を示す斜視図である。
【図２６】図２５中のＸＸＶＩ−ＸＸＶＩ線に沿った矢視断面図である。
【図２７】実施の形態２の第１変形例における凝縮装置を示す斜視図である。
【図２８】図２７中のＸＸＶＩＩＩ−ＸＸＶＩＩＩ線に沿った矢視断面図である。
【図２９】実施の形態２の第２変形例における凝縮装置に用いられる凝縮フィンを示す断面図である。
【図３０】実施の形態２の第３変形例における凝縮装置を示す斜視図である。
【図３１】図３０中のＸＸＸＩ−ＸＸＸＩ線に沿った矢視断面図である。
【図３２】実施の形態２の第４変形例における凝縮装置を示す斜視図である。
【図３３】図３２中のＸＸＸＩＩＩ−ＸＸＸＩＩＩ線に沿った矢視断面図である。
【図３４】実施の形態３における凝縮装置を示す斜視図である。
【図３５】実施の形態３の第１変形例における凝縮装置を示す断面図である。
【図３６】実施の形態３の第２変形例における凝縮装置に用いられる凝縮フィンを示す断面図である。
【図３７】実施の形態３の第３変形例における凝縮装置に用いられる凝縮フィンを示す断面図である。
【図３８】実施の形態４における凝縮装置を示す斜視図である。
【図３９】実施の形態４の第１変形例における凝縮装置に用いられる凝縮フィンを示す斜視図である。
【図４０】実施の形態４の第２変形例における凝縮装置を示す斜視図である。
【図４１】実施の形態４の第３変形例における凝縮装置に用いられる凝縮フィンを示す斜視図である。
【図４２】実施の形態４の第４変形例における凝縮装置に用いられる凝縮フィンを示す平面図である。
【図４３】実施の形態５における凝縮装置に用いられる凝縮フィンを示す平面図である。
【図４４】実施の形態５の第１変形例における凝縮装置に用いられる凝縮フィンを示す平面図である。
【図４５】実施の形態５の第２変形例における凝縮装置を示す斜視図である。
【図４６】実施の形態５の第２変形例における凝縮装置に用いられる凝縮フィンを示す平面図である。
【図４７】実施の形態５の第２変形例における凝縮装置に用いられる凝縮フィンを示す斜視図である。
【図４８】実施の形態５の第２変形例における凝縮装置に用いられる凝縮フィンを示す他の平面図である。
【図４９】実施の形態５の第３変形例における凝縮装置に用いられる凝縮フィンを示す平面図である。
【図５０】実施の形態５の第４変形例における凝縮装置を示す側面図である。
【図５１】実施の形態５の第４変形例における凝縮装置に用いられる凝縮フィンを示す側面図である。
【図５２】実施の形態５の第４変形例における凝縮装置を示す他の側面図である。
【図５３】実施の形態６における凝縮装置を示す斜視図である。
【図５４】実施の形態６における凝縮装置に用いられるエンドプレートを示す斜視図である。
【図５５】実施の形態６の第１変形例における凝縮装置に用いられるエンドプレートを示す斜視図である。
【図５６】図５５中のＬＶＩ−ＬＶＩ線に沿った矢視断面図である。
【図５７】図５５中のＬＶＩＩ−ＬＶＩＩ線に沿った矢視断面図である。
【図５８】実施の形態７における凝縮装置を示す斜視図である。
【図５９】図５８中のＬＩＸ線によって囲まれた領域を拡大して示す斜視図である。
【図６０】実施の形態７の実験例１に関する実験結果を示す図である。
【図６１】実施の形態７の実験例２に関する実験結果を示す図である。
【図６２】実施の形態７の実験例３に関する実験結果を示す図である。
【発明を実施するための形態】
【００２３】
本発明に基づいた各実施の形態および各実験例について、以下、図面を参照しながら説明する。各実施の形態および各実験例の説明において、個数および量などに言及する場合、特に記載がある場合を除き、本発明の範囲は必ずしもその個数およびその量などに限定されない。各実施の形態および各実験例の説明において、同一の部品および相当部品に対しては、同一の参照番号を付し、重複する説明は繰り返さない場合がある。特に制限が無い限り、各実施の形態に示す構成および各実験例に示す構成を適宜組み合わせて用いることは、当初から予定されていることである。
【００２４】
［実施の形態１］
（冷凍冷蔵庫１００）
図１は、本実施の形態における冷凍冷蔵庫１００を示す断面図である。図１において、矢印Ｚ方向は鉛直方向を示している。図１中の矢印Ｚ方向が延びる方向と反対の方向は、重力方向である。矢印Ｘ方向は、矢印Ｚ方向に対して直交する方向である。本実施の形態では、矢印Ｘ方向は冷凍冷蔵庫１００の奥行き方向に相当している。図２等に記載している矢印Ｙ方向は、矢印Ｘ方向および矢印Ｚ方向の双方に対して直交する方向である。本実施の形態では、矢印Ｙ方向は冷凍冷蔵庫１００の幅方向に相当している。
【００２５】
矢印Ｘ，Ｙ，Ｚ方向の関係については、図１〜図５９において共通している。図２〜図５９等では、凝縮装置（凝縮装置２０）および凝縮フィン（凝縮フィン５０）等の配置方向が矢印Ｘ方向および矢印Ｙ方向に沿うように図示されているが、これらの矢印Ｘ方向および矢印Ｙ方向における配置方向は、図示されている構成に限られるものではない。換言すると、凝縮装置および凝縮フィン等は、冷凍冷蔵庫の奥行き方向（矢印Ｘ方向）および幅方向（矢印Ｙ方向）に沿うように配置されていなくてもよい。
【００２６】
図１に示すように、冷凍冷蔵庫１００は、筺体１０、冷凍室１１、冷凍室用扉１１Ｄ、冷蔵室１２、冷蔵室用扉１２Ｄ、冷却風路１３、蒸発器１４、除霜装置１５、ドレン水配管１６、機械室１７、吸気口１８、排気口１９、凝縮装置２０、ドレン水供給部３０、送風ファン９０、圧縮機９２および図示しない冷媒管（図２中の冷媒管６０参照）を備える。この冷媒管は、蒸発器１４、凝縮装置２０および圧縮機９２に沿って配置され、冷媒管内を流れる冷媒はこれらの中を順次通過する。冷凍冷蔵庫１００においては、この冷媒管内を流れる冷媒によって、冷却サイクル運転が行われる。
【００２７】
冷凍室１１および冷蔵室１２は、筺体１０の内部にそれぞれ形成され、冷却風路１３を挟んで互いに反対側に位置する。冷凍室１１および冷蔵室１２は、冷却風路１３にそれぞれ連通している。冷凍室用扉１１Ｄは、冷凍室１１を開閉するためのものであり、冷蔵室用扉１２Ｄは、冷蔵室１２を開閉するためのものである。本実施の形態の冷凍冷蔵庫１００は、冷凍室１１による冷凍機能および冷蔵室１２による冷蔵機能の双方を備えるが、冷凍冷蔵庫の機能としてはこれらのうちのいずれか一方のみを備えていてもよい。
【００２８】
蒸発器１４は、冷却風路１３内に配置され、冷凍室１１の背面側に位置している。除霜装置１５は、たとえばヒーター（図示せず）等を有し、蒸発器１４の下方に配置される。機械室１７は、筺体１０の下部に設けられる。凝縮装置２０、ドレン水供給部３０、送風ファン９０および圧縮機９２は、機械室１７内に配置される。吸気口１８は、送風ファン９０によって生成される気流の流れる方向の上流側に位置する。吸気口１８を通して、機械室１７内に気流（冷却空気）が導入される。排気口１９は、送風ファン９０によって生成される気流の流れる方向の下流側に位置する。排気口１９を通して、機械室１７内から空気が排出される。
【００２９】
ドレン水配管１６は、集水口１６Ｍおよび排水口１６Ｎを含む。集水口１６Ｍは、蒸発器１４の下方に配置される。排水口１６Ｎは、凝縮装置２０の上方に配置される。ドレン水配管１６は、中空状の形状を有し、集水口１６Ｍから排水口１６Ｎにまで延在している。排水口１６Ｎには、ドレン水供給部３０が設けられる。排水口１６Ｎとドレン水供給部３０とは、互いに一体的に構成されていてもよいし、それぞれが別体として作製された後に互いに接合されてもよい。
【００３０】
以上のように構成される冷凍冷蔵庫１００においては、圧縮機９２の運転により冷媒管（図２中の冷媒管６０参照）内を冷媒が流動し、冷却サイクル運転が行われる。冷媒は、蒸発器１４を通る時に吸熱し、凝縮装置２０を通る時に放熱する。蒸発器１４を通過する時に冷やされた空気は、冷却風路１３を通して冷凍室１１および冷蔵室１２に流れ込む。冷凍室１１および冷蔵室１２は、それぞれ冷却される。この際、蒸発器１４の表面には霜が徐々に形成される。
【００３１】
冷凍冷蔵庫１００の冷却サイクル運転が長時間行なわれると、蒸発器１４の表面に形成された霜によって、冷却風路１３が狭くなる。冷凍冷蔵庫１００においては、冷却サイクル運転が所定のタイミングで停止される。蒸発器１４の表面に形成された霜は、除霜装置１５の加熱によって融解される。融解した霜は、ドレン水となって集水口１６Ｍからドレン水配管１６内に流れる。ドレン水は、排水口１６Ｎを通してドレン水供給部３０から凝縮装置２０に供給される（詳細は後述する）。
【００３２】
送風ファン９０は、吸気口１８から排気口１９に向かって流れる気流（冷却空気）を発生させる。凝縮装置２０の周囲を流れる気流は、凝縮装置２０を冷却する。一方で、凝縮装置２０にはドレン水も供給されており、凝縮装置２０の表面は濡れている。冷凍冷蔵庫１００においては、冷却空気と凝縮装置２０と間の熱交換により凝縮装置２０が冷却されるだけでなく、ドレン水が蒸発する時に潜熱が凝縮装置２０から奪われることによっても凝縮装置２０が冷却される。
【００３３】
したがって冷凍冷蔵庫１００に用いられる凝縮装置２０は、凝縮装置２０の周囲を流れる気流によって冷やされるだけでなく、ドレン水供給部３０から凝縮装置２０に供給されたドレン水によっても冷やされることができるため、高い放熱性能を有しており、従来に比べて高い凝縮性能を発揮することが可能となっている。
【００３４】
（凝縮装置２０）
図２〜図４を参照して、本実施の形態の冷凍冷蔵庫１００に用いられる凝縮装置２０について詳細に説明する。図２は、凝縮装置２０を示す斜視図である。図３は、凝縮装置２０の分解した状態を示す斜視図である。図４は、凝縮装置２０に用いられる凝縮フィン５０を示す斜視図である。図２および図３に示すように、凝縮装置２０は、４つの凝縮器４１〜４４およびドレンパン９４（図２参照）を備える。
【００３５】
凝縮器４１〜４４は、複数の凝縮フィン５０を含む。凝縮器４１〜４４は、矢印Ｙ方向に沿って４列に並んで配置される。ドレンパン９４は、凝縮器４１〜４４の鉛直方向の下方に配置される。ドレンパン９４は、必要に応じて用いられるとよい。蒸発器１４（図１参照）からのドレン水を凝縮装置２０に供給するためのドレン水供給部３０は、４つのドレン水供給部３１〜３４を含む。ドレン水供給部３１〜３４は、いずれも管状の形状を有し、ドレン水を流出する流出口３１Ｔ〜３４Ｔが各々の下端に設けられる。
【００３６】
本実施の形態においては、凝縮器４１に含まれる複数の凝縮フィン５０、凝縮器４２に含まれる複数の凝縮フィン５０、凝縮器４３に含まれる複数の凝縮フィン５０、および、凝縮器４４に含まれる複数の凝縮フィン５０は、いずれも同一の形状を有している。複数の凝縮フィン５０の各々には、挿入孔５７，５８（図３参照）が設けられる。挿入孔５７，５８には、冷媒管６０が挿し込まれる。挿入孔５７，５８に冷媒管６０が挿し込まれることで、複数の凝縮フィン５０は冷媒管６０に固定される。
【００３７】
冷媒管６０は、内部に冷媒（図示せず）が流れる伝熱管としての機能を有する。冷媒管６０は、複数の直管部６１、複数の上方曲管部６２、および、複数の下方曲管部６３を含む。複数の直管部６１は、直線状の形状を有し、互いに平行となるように設けられる。本実施の形態における複数の直管部６１は、送風ファン９０（図２参照）からの気流（冷却空気）の流れる方向に対して略直交するように（矢印Ｚ方向に対して略平行となるように）配置される。
【００３８】
上方曲管部６２は、Ｕ字状の形状を有し、隣り合う直管部６１の上端同士を連結するように設けられる。下方曲管部６３も、Ｕ字状の形状を有し、隣り合う直管部６１の下端同士を連結するように設けられる。直管部６１が上方曲管部６２および下方曲管部６３によって連結されることで、冷媒管６０は１本の伝熱管として構成されている。冷媒管６０は、２本以上の伝熱管から構成されていてもよい。
【００３９】
凝縮器４１に含まれる複数の凝縮フィン５０は、平行に配置された２つの直管部６１に固定されて一体化され（図２参照）、鉛直方向（矢印Ｚ方向）に相互間隔をあけ且つ鉛直方向に対向するように配置されている。凝縮器４１に含まれる複数の凝縮フィン５０は、１枚１枚のそれぞれの凝縮フィン５０が略水平方向に沿うように水平に配置され、且つ鉛直方向に沿って上方から下方に向かって（若しくは下方から上方に向かって）順に並ぶように配置されている。
【００４０】
凝縮器４１に含まれる複数の凝縮フィン５０は、鉛直方向（矢印Ｚ方向）に隣り合う凝縮フィン５０に対して互いに平行な位置関係となっている。凝縮器４１に含まれる複数の凝縮フィン５０は、鉛直方向において約２ｍｍ〜約３ｍｍの間隔（相互間隔）をあけて配列されている。鉛直方向に隣り合う凝縮フィン５０の間には、この間隔を利用して送風ファン９０（図２参照）からの冷却空気が流れ込む。
【００４１】
複数の凝縮フィン５０の配置関係については、凝縮器４２〜４４においても同様である。凝縮器４２に含まれる複数の凝縮フィン５０も、平行に配置された２つの直管部６１に固定されて一体化され、鉛直方向に相互間隔をあけ且つ鉛直方向に対向するように配置されている。凝縮器４３に含まれる複数の凝縮フィン５０も、平行に配置された２つの直管部６１に固定されて一体化され、鉛直方向に相互間隔をあけ且つ鉛直方向に対向するように配置されている。凝縮器４４に含まれる複数の凝縮フィン５０も、平行に配置された２つの直管部６１に固定されて一体化され、鉛直方向に相互間隔をあけ且つ鉛直方向に対向するように配置されている。
【００４２】
複数の凝縮フィン５０を冷媒管６０に固定するためには、いわゆる機械拡管の方法が用いられるとよい。この場合、複数の凝縮フィン５０に、冷媒管６０の直管部６１の外径よりもやや大きい直径を有する挿入孔５７，５８が設けられる。挿入孔５７，５８に冷媒管６０の直管部６１を挿し込んだ後、直管部６１の内部に、直管部６１の内径よりも大きい外径を有する先細形状の治具が挿入される。冷媒管６０の直管部６１の管径を治具を用いて拡大することにより、複数の凝縮フィン５０は冷媒管６０の直管部６１に固定される。
【００４３】
治具を用いる代わりに、直管部６１の内側を加圧して直管部６１の管径を拡大してもよいし、直管部６１を管軸方向に圧縮して直管部６１の管径を拡大してもよい。直管部６１に複数の凝縮フィン５０が固定された後、隣り合う直管部６１の上端同士は、直管部６１とは別に準備された上方曲管部６２によって連結され、隣り合う直管部６１の下端同士は、直管部６１とは別に準備された下方曲管部６３によって連結される。
【００４４】
複数の凝縮フィン５０を冷媒管６０に固定するためには、いわゆる非拡管の方法が用いられてもよい。この場合、複数の凝縮フィン５０に、冷媒管６０の直管部６１の外径と略同じ直径を有する挿入孔５７，５８が設けられる。挿入孔５７，５８に冷媒管６０の直管部６１を圧入することによって、複数の凝縮フィン５０は直管部６１に固定される。直管部６１に複数の凝縮フィン５０が固定された後、隣り合う直管部６１の上端同士は、直管部６１とは別に準備された上方曲管部６２によって連結され、隣り合う直管部６１の下端同士は、直管部６１とは別に準備された下方曲管部６３によって連結される。
【００４５】
複数の凝縮フィン５０を冷媒管６０に固定する時に、予め準備された１本の冷媒管６０が用いられてもよい。１本の冷媒管６０を複数の凝縮フィン５０の挿入孔５７，５８に順に挿し込みつつ、上方曲管部６２および下方曲管部６３に対応する部分で冷媒管６０を湾曲変形させる。この方法によっても、複数の凝縮フィン５０を冷媒管６０に固定することが可能である。
【００４６】
図３中に示す冷媒管６０は、直管部６１の上端に上方曲管部６２が連結され且つ直管部６１の下端に下方曲管部６３が連結された後の状態（完成状態）を有している。図３中に示す冷媒管６０は、複数の凝縮フィン５０から離れて図示されている。実際には、上記のような固定方法を用いて、複数の凝縮フィン５０は冷媒管６０に固定される。図３中に示す冷媒管６０は、説明の便宜上、複数の凝縮フィン５０が固定された後の冷媒管６０の状態（完成状態）を、複数の凝縮フィン５０から仮想的に分離して表しているものである。
【００４７】
以上のように構成される凝縮器４１〜４４に対して、本実施の形態のドレンパン９４（図２参照）は、凝縮器４１〜４４の各々の最下部に位置する凝縮フィン５０よりも下方に配置される。凝縮器４１のうちの最上部に位置する凝縮フィン５０は、ドレン水供給部３１の流出口３１Ｔの下方に配置される。凝縮器４２のうちの最上部に位置する凝縮フィン５０は、ドレン水供給部３２の流出口３２Ｔの下方に配置される。凝縮器４３のうちの最上部に位置する凝縮フィン５０は、ドレン水供給部３３の流出口３３Ｔの下方に配置される。凝縮器４４のうちの最上部に位置する凝縮フィン５０は、ドレン水供給部３４の流出口３４Ｔの下方に配置される。
【００４８】
図４を参照して、本実施の形態の凝縮フィン５０は、上面５１、下面５２、４つの外周縁５３〜５６、および２つの挿入孔５７，５８を含み、全体として平板状の形状を有する。凝縮フィン５０の表面には、上面５１、下面５２、４つの外周縁５３〜５６、および、２つの挿入孔５７，５８の各々の内周面が含まれる。４つの外周縁５３〜５６は、全体として長方形状に配置される。外周縁５３および外周縁５５は、凝縮フィン５０の長辺をそれぞれ形成し、外周縁５４および外周縁５６は、凝縮フィン５０の短辺をそれぞれ形成している。上面５１および下面５２同士は、互いに平行な位置関係にある。挿入孔５７，５８は、それぞれ円形状の形状を有する。
【００４９】
凝縮フィン５０の長手方向（矢印Ｘ方向）の寸法Ｌ１は、たとえば５０ｍｍである。凝縮フィン５０の短手方向（矢印Ｙ方向）の寸法Ｌ２は、たとえば２８ｍｍである。凝縮フィン５０の厚さ方向（矢印Ｚ方向）の寸法Ｌ３は、たとえば０．１５ｍｍである。
【００５０】
（作用および効果）
図５は、凝縮装置２０にドレン水が供給されている様子を示す斜視図である。図６は、凝縮装置２０にドレン水が供給されている様子を示す側面図である。上述のとおり、凝縮器４１に含まれる複数の凝縮フィン５０は、鉛直方向（矢印Ｚ方向）に相互間隔をあけ、且つ鉛直方向に隣り合う凝縮フィン５０の下面５２と凝縮フィン５０の凝縮フィン５０の上面５１とが鉛直方向に対向するように配置されている。
【００５１】
凝縮器４１のうちの最上部に位置する凝縮フィン５０は、ドレン水供給部３１の流出口３１Ｔの下方に配置される。流出口３１Ｔから滴下されたドレン水Ｗは、凝縮器４１のうちの最上部に位置する凝縮フィン５０の上面５１（図６参照）に接触する。ドレン水Ｗは、その上面５１上で水滴を形成したり、その上面５１上で濡れ広がったりする。
【００５２】
その後、ドレン水Ｗは、送風ファン９０（図２参照）からの気流を受けたり、その後に供給されるドレン水Ｗと一体化したり、その後に供給されるドレン水Ｗに押されたりする。ドレン水Ｗは、凝縮フィン５０の外周縁に向かって移動する。凝縮フィン５０の外周縁に到達したドレン水Ｗは、凝縮フィン５０の上面５１上からはみ出し、下方に向かって垂れ下がる。ドレン水Ｗは、１つ下に配置されている凝縮フィン５０の外周縁に向かって垂れ落ちる（下方移動する）。
【００５３】
下方移動して凝縮フィン５０に接触したドレン水Ｗは、送風ファン９０（図２参照）からの気流を受けたり、その後に下方移動する他のドレン水Ｗと一体化したり、その後に下方移動する他のドレン水Ｗに押されたりする。ドレン水Ｗは、凝縮フィン５０の中央部に向かって移動したり、さらに１つ下に配置されている凝縮フィン５０の外周縁に向かって垂れ落ちたりする。
【００５４】
凝縮フィン５０の外周縁から中央部に向かって移動するドレン水Ｗには、凝縮フィン５０の上面５１に接触しながら移動するものと、凝縮フィン５０の下面５２に接触しながら移動するものとが含まれる。ドレン水Ｗの一部は、上面５１および／または下面５２に沿って移動する時に蒸発し、凝縮フィン５０から潜熱を奪う。ドレン水Ｗのうちの蒸発しなかったものは、最下部に位置する凝縮フィン５０にまで到達した後、ドレンパン９４（図５参照）内に落下する。
【００５５】
流出口３１Ｔから滴下されたドレン水Ｗは、このような移動と落下（下方移動）とを繰り返しながら、凝縮フィン５０と熱交換したり、凝縮フィン５０上で蒸発したりする。凝縮装置２０においては、複数の凝縮フィン５０が鉛直方向（矢印Ｚ方向）に相互間隔をあけ、且つ鉛直方向に隣り合う凝縮フィン５０が鉛直方向に対向するように配置されているため、凝縮フィン５０の１枚１枚は、ドレン水Ｗを所定の時間の間保持することが可能となっている。
【００５６】
したがって、流出口３１Ｔから滴下されたドレン水Ｗは、上記のような移動と落下（下方移動）とを比較的ゆっくりと繰り返すことによって、１枚１枚の凝縮フィン５０を効果的に冷却することができる。このような動作は、凝縮器４２〜４４（図５参照）においても同様に行われる。
【００５７】
複数の凝縮フィン５０の周囲を流れる気流によって複数の凝縮フィン５０が冷やされるだけでなく、ドレン水供給部３０から複数の凝縮フィン５０に供給されたドレン水によっても、複数の凝縮フィン５０は十分に冷やされることができる。したがって本実施の形態の凝縮装置２０は、高い放熱性能を有しており、従来に比べて高い凝縮性能を発揮することが可能となっている。本実施の形態によれば、たとえば、凝縮装置２０の単体では１２％〜１８％程度の凝縮性能の上昇が見込まれ、冷凍冷蔵庫１００の全体では５％〜８％程度のエネルギー使用効率の上昇が見込まれる。
【００５８】
凝縮装置２０とは異なり、複数の凝縮フィンが水平方向（矢印Ｘ，Ｙ方向）に相互間隔をあけ、且つ水平方向に隣り合う凝縮フィンの面同士が水平方向に対向するように配置される場合もある。この場合、凝縮フィンに向かって滴下されたドレン水は、凝縮フィンの表面に保持され難くい。ドレン水は、隣り合う凝縮フィン同士の間をすり抜けるようにして落下しやすい。凝縮フィンの表面にドレン水が保持された場合も、そのドレン水は重力の作用を受けて、短時間で凝縮フィンから離間しやすい。
【００５９】
これに対して凝縮装置２０においては、凝縮フィン５０の１枚１枚が、ドレン水Ｗを十分に保持することが可能となっている。凝縮装置２０は、高い放熱性能を有しており、従来に比べて高い凝縮性能を発揮することが可能となっている。凝縮フィン５０がドレン水Ｗをより適切に保持可能なように、凝縮フィン５０の表面には、親水性コート処理が施されていてもよい。凝縮フィン５０の表面の親水性が向上することによって、ドレン水Ｗは、凝縮フィン５０の表面をより冷却しやすくなる。
【００６０】
凝縮フィン５０の表面には、電食防止コート処理が施されていてもよい。凝縮フィン５０の表面が保護されることによって、凝縮フィン５０の凝縮性能が低下することを防止できる。
【００６１】
冷凍冷蔵庫１００によれば、凝縮装置２０が高い凝縮性能を有しているため、凝縮装置２０を小型化することで省スペース化に寄与することもできる。たとえば、機械室１７（図１参照）の容積を縮小し、冷凍室１１および冷蔵室１２の容積を増大することができる。近年では、冷凍冷蔵庫の外形寸法はほどんど変わらないものの、冷凍室および冷蔵室の容積は増大する傾向にある。冷凍冷蔵庫１００によれば、このような要求にも十分に応えることが可能となっている。
【００６２】
冷凍冷蔵庫１００によれば、凝縮装置２０が高い放熱性能を有しているため、送風ファン９０の風量を小さくすることもできる。送風ファン９０の駆動音が低減されることにより、使用者の不快感を軽減することも可能となっている。冷凍冷蔵庫１００は、凝縮装置２０が高い放熱性能を有しているため、少ない消費エネルギーで高い冷却効果を得ることができ、省エネルギー化にも貢献することが可能となっている。
【００６３】
図７および図８を参照して、送風ファン９０からの気流（矢印ＡＲ９０参照）を用いて複数の凝縮フィン５０を冷却する場合、凝縮フィン５０の表面には埃２００が付着しやすい。凝縮フィン５０の表面に多量の埃２００が付着すると、凝縮性能の低下を招く。
【００６４】
本実施の形態の凝縮装置２０においては、凝縮フィン５０の表面に供給されたドレン水Ｗは、送風ファン９０からの気流を受けたり、下方移動する他のドレン水Ｗと一体化したり、下方移動する他のドレン水Ｗに押されたりする。ドレン水Ｗは、凝縮フィン５０の中央部に向かって移動したり、さらに１つ下に配置されている凝縮フィン５０の外周縁に向かって垂れ落ちたりする。
【００６５】
凝縮フィン５０の外周縁から中央部に向かって移動するドレン水Ｗには、凝縮フィン５０の上面５１に接触しながら移動するものと、凝縮フィン５０の下面５２に接触しながら移動するものとが含まれる。ドレン水Ｗの一部は、上面５１および／または下面５２に沿って移動する時に蒸発し、凝縮フィン５０から潜熱を奪う。
【００６６】
ドレン水Ｗのうちの蒸発しなかったものは、最下部に位置する凝縮フィン５０にまで到達した後、ドレンパン９４（図５参照）内に落下する。本実施の形態の凝縮装置２０においては、凝縮フィン５０の表面に供給されたドレン水Ｗは、このような移動と落下（下方移動）とを繰り返すことによって、凝縮フィン５０の表面に付着した埃２００をドレンパン９４（図５参照）内に向かって落下させることができる。
【００６７】
凝縮装置２０によれば、いわゆるセルフクリーニング機能が働くことによって、埃２００が効果的に除去され、表面が洗浄された凝縮フィン５０はドレン水によって一層冷却されやすくなる。埃２００が効果的に除去されるため、凝縮フィン５０の経年劣化を抑制することもできる。埃２００の付着を防止するために別途フィルター等を設ける必要も無く、製造費用を低減することもできる。フィルターを設けたとしても、フィルターの交換作業および清掃作業はほとんど不要であり、これらの作業頻度を少なくすることもできる。
【００６８】
図８に示すように、凝縮装置２０のドレン水供給部３１には、駆動装置３００が設けられていてもよい。駆動装置３００が矢印ＤＲ２方向および／または矢印ＤＲ３方向にドレン水供給部３１を動かすことによって、凝縮フィン５０の全体にドレン水Ｗを供給することが可能となる。凝縮フィン５０の凝縮性能をさらに向上させたり、凝縮フィン５０に付着した埃２００をより効果的に除去したりすることが可能となる。
【００６９】
（第１変形例）
図９および図１０を参照して、実施の形態１の第１変形例における凝縮装置２０Ａについて説明する。凝縮装置２０Ａは、凝縮器４５を備える。凝縮器４５においては、複数の凝縮フィン５０が水平方向（矢印Ｘ，Ｙ方向）に相互間隔をあけ、且つ水平方向に隣り合う凝縮フィン５０の面同士が水平方向に対向するように配置されている。凝縮器４５においても、送風ファン９０からの気流（矢印ＡＲ９０参照）を用いて複数の凝縮フィン５０を冷却する場合、凝縮フィン５０の表面には埃２００が付着しやすい。凝縮フィン５０の表面に多量の埃２００が付着すると、凝縮性能の低下を招く。
【００７０】
凝縮装置２０Ａにおいては、複数の凝縮フィン５０に向かって滴下されたドレン水Ｗは、送風ファン９０からの気流を受けたり、下方移動する他のドレン水Ｗと一体化したり、下方移動する他のドレン水Ｗに押されたりする。ドレン水Ｗは、凝縮フィン５０の表面に付着した埃２００とともにドレンパン（図示せず）内に向かって落下する。ドレン水Ｗの一部は、凝縮フィン５０の表面に沿って移動する時に蒸発し、凝縮フィン５０から潜熱を奪う。
【００７１】
凝縮装置２０Ａにおいても、いわゆるセルフクリーニング機能が働くことによって、埃２００が効果的に除去され、表面が洗浄された凝縮フィン５０はドレン水によって一層冷却されやすくなる。埃２００が効果的に除去されるため、凝縮フィン５０の経年劣化を抑制することもできる。埃２００の付着を防止するために別途フィルター等を設ける必要も無く、製造費用を低減することもできる。フィルターを設けたとしても、フィルターの交換作業および清掃作業はほとんど不要であり、これらの作業頻度を少なくすることもできる。
【００７２】
図１０に示すように、凝縮装置２０Ａのドレン水供給部３１にも、駆動装置３００が設けられているとよい。駆動装置３００が矢印ＤＲ２方向および／または矢印ＤＲ３方向にドレン水供給部３１を動かすことによって、凝縮フィン５０の全体にドレン水Ｗを供給することが可能となる。凝縮フィン５０の凝縮性能をさらに向上させたり、凝縮フィン５０に付着した埃２００をより効果的に除去したりすることが可能となる。
【００７３】
（第２変形例）
図１１および図１２を参照して、実施の形態１の第２変形例における凝縮装置２０Ｂについて説明する。凝縮装置２０Ｂの凝縮器４１においては、最上部に位置する凝縮フィン５０の上面５１のうちの中央寄りの部分５１Ｃ（図１２参照）が、ドレン水供給部３１の流出口３１Ｔの下方に位置している。凝縮器４２〜４４においても、最上部に位置する凝縮フィン５０の上面のうちの中央寄りの部分が、ドレン水供給部３１の流出口３２Ｔ〜３４Ｔの下方にそれぞれ位置している。
【００７４】
図１２を参照して、凝縮装置２０Ｂによれば、凝縮フィン５０の上面５１のうちの中央寄りの部分５１Ｃにドレン水Ｗが滴下される。凝縮フィン５０の上面５１上において、ドレン水Ｗは中央寄りの部分５１Ｃから外周縁に向かって全体に広がるため、凝縮フィン５０の全体が効率良く冷却される。
【００７５】
したがって凝縮装置２０Ｂも、従来に比べてさらに高い凝縮性能を発揮することが可能となっている。凝縮装置２０Ｂによれば、凝縮フィン５０の外周縁に付着した埃だけでなく、凝縮フィン５０の上面および下面に付着した埃も除去される。表面が洗浄された凝縮フィン５０は、ドレン水によって一層冷却されやすくなるため、凝縮フィン５０の経年劣化をより一層抑制することができる。
【００７６】
（第３変形例）
図１３を参照して、実施の形態１の第３変形例における凝縮装置２０Ｃについて説明する。凝縮装置２０Ｃの凝縮器４１においては、最上部に位置する凝縮フィン５０の上面５１のうちの外周縁寄りの部分５１Ｄが、ドレン水供給部３１の流出口３１Ｔの下方に位置している。凝縮装置２０Ｃによれば、凝縮フィン５０の上面５１のうちの外周縁寄りの部分５１Ｄにドレン水Ｗが滴下される。凝縮装置２０Ｃによれば、凝縮フィン５０の外周縁に付着した埃を重点的に除去することができる。
【００７７】
図１４を参照して、凝縮フィン５０においては、送風ファン（図示せず）からの気流の流れる方向（矢印ＡＲ９０方向）の上流側の部分に、埃が付着しやすい。図１４に示すように、最上部に位置する凝縮フィン５０の上面５１のうちの外周縁寄りの部分５１Ｄは、気流が流れる方向における上流側に位置しているとよい。最上部に位置する凝縮フィン５０のうちの気流が流れる方向における上流側の部分（外周縁寄りの部分５１Ｄ）が、ドレン水供給部３１の流出口３１Ｔの下方に位置する。
【００７８】
凝縮フィン５０の上面５１のうちの気流が流れる方向における上流側に滴下されたドレン水Ｗは、凝縮フィン５０の上流側の外周縁に付着した埃を重点的に除去するとともに、その外周縁から凝縮フィン５０の中央寄りの部分に向かって広がるため、凝縮フィン５０の全体が効率良く冷却される。
【００７９】
したがって凝縮装置２０Ｃも、従来に比べてさらに高い凝縮性能を発揮することが可能となっている。凝縮装置２０Ｃによれば、凝縮フィン５０の外周縁に付着した埃だけでなく、凝縮フィン５０の上面および下面に付着した埃も除去される。表面が洗浄された凝縮フィン５０は、ドレン水によって一層冷却されやすくなるため、凝縮フィン５０の経年劣化をより一層抑制することができる。
【００８０】
（第４変形例）
図１５を参照して、実施の形態１の第４変形例における凝縮装置２０Ｄについて説明する。凝縮装置２０Ｄの凝縮器４１においては、複数の凝縮フィン５０の全体が同じ方向に向かって傾斜するように配置される。本実施の形態の複数の凝縮フィン５０は、気流が流れる方向（矢印ＡＲ９０方向）における上流側から下流側に向かうにつれて、鉛直方向の下方に向かって傾斜している。
【００８１】
凝縮フィン５０の上面５１のうちの気流が流れる方向における上流側に滴下されたドレン水Ｗは、凝縮フィン５０の上流側の外周縁に付着した埃を重点的に除去するとともに、凝縮フィン５０の傾斜を利用してその外周縁から凝縮フィン５０の中央寄りの部分に向かって広がるため、凝縮フィン５０の全体が効率良く冷却される。
【００８２】
したがって凝縮装置２０Ｄも、従来に比べてさらに高い凝縮性能を発揮することが可能となっている。凝縮装置２０Ｄによれば、凝縮フィン５０の外周縁に付着した埃だけでなく、凝縮フィン５０の上面および下面に付着した埃も除去される。表面が洗浄された凝縮フィン５０は、ドレン水によって一層冷却されやすくなるため、凝縮フィン５０の経年劣化をより一層抑制することができる。
【００８３】
（第５変形例）
図１６および図１７を参照して、実施の形態１の第５変形例における凝縮装置２０Ｅについて説明する。凝縮装置２０Ｅの凝縮器４１においては、複数の凝縮フィン５０がいわゆる互い違いに傾斜するように配置される。本実施の形態の複数の凝縮フィン５０は、一方の短辺から他方の短辺に向かって傾斜しており、対向する凝縮フィン５０同士の傾斜方向が逆向きとなるように配置されている。
【００８４】
凝縮フィン５０の上面５１のうちの外周縁寄りの部分５１Ｄ（図１７参照）に滴下されたドレン水Ｗは、凝縮フィン５０の外周縁に付着した埃を重点的に除去するとともに、凝縮フィン５０の傾斜を利用してその外周縁から凝縮フィン５０の中央寄りの部分に向かって広がるため、凝縮フィン５０の全体が効率良く冷却される。ドレン水Ｗが下へ下へと流れていく時に凝縮フィン５０の互い違いの傾斜が活用されることによって、ドレン水Ｗは複数の凝縮フィン５０に順次効率良く供給されることが可能となる。
【００８５】
したがって凝縮装置２０Ｅも、従来に比べてさらに高い凝縮性能を発揮することが可能となっている。凝縮装置２０Ｅによれば、凝縮フィン５０の外周縁に付着した埃だけでなく、凝縮フィン５０の上面および下面に付着した埃も除去される。表面が洗浄された凝縮フィン５０は、ドレン水によって一層冷却されやすくなるため、凝縮フィン５０の経年劣化をより一層抑制することができる。
【００８６】
（第６変形例）
図１８を参照して、実施の形態１の第６変形例における凝縮装置２０Ｆについて説明する。上述の第５変形例における凝縮フィン５０（図１７参照）は、一方の短辺から他方の短辺に向かって傾斜しており、対向する凝縮フィン５０同士の傾斜方向が逆向きとなるように配置されている。本変形例の凝縮装置２０Ｆの凝縮フィン５０は、一方の長辺から他方の長辺に向かって傾斜しており、対向する凝縮フィン５０同士の傾斜方向が逆向きとなるように配置されている。
【００８７】
当該構成によっても、凝縮フィン５０の上面５１のうちの外周縁寄りの部分に滴下されたドレン水は、凝縮フィン５０の外周縁に付着した埃を重点的に除去するとともに、凝縮フィン５０の傾斜を利用してその外周縁から凝縮フィン５０の中央寄りの部分に向かって広がるため、凝縮フィン５０の全体が効率良く冷却される。ドレン水が下へ下へと流れていく時に凝縮フィン５０の互い違いの傾斜が活用されることによって、ドレン水は複数の凝縮フィン５０に順次効率良く供給されることが可能となる。
【００８８】
したがって凝縮装置２０Ｆも、従来に比べてさらに高い凝縮性能を発揮することが可能となっている。凝縮装置２０Ｆによれば、凝縮フィン５０の外周縁に付着した埃だけでなく、凝縮フィン５０の上面および下面に付着した埃も除去される。表面が洗浄された凝縮フィン５０は、ドレン水によって一層冷却されやすくなるため、凝縮フィン５０の経年劣化をより一層抑制することができる。
【００８９】
（第７変形例）
図１９を参照して、実施の形態１の第７変形例について説明する。本実施の形態の凝縮装置２０Ｇの上方には、樋形状部３１Ｍを有するドレン水供給部３１が配置される。樋形状部３１Ｍは、半割の円筒形状を有し、鉛直方向の上方側が開口している。樋形状部３１Ｍは、最上部に位置する凝縮フィン５０の上方に配置され、上方から下方（流出口３１Ｔ）に向かうにつれて傾斜するように配置されている。樋形状部３１Ｍの上端から最上部に位置する凝縮フィン５０の上面５１までの鉛直方向における高さ寸法はＨ１である。
【００９０】
図２０を参照して、上述の実施の形態１の第７変形例に対して、凝縮装置２０Ｇ１の上方には、ホース状部３１Ｎを有するドレン水供給部３１が配置される。ホース状部３１Ｎは、中空管状の形状を有する。ホース状部３１Ｎは、最上部に位置する凝縮フィン５０の上方に配置され、上方から下方（流出口３１Ｔ）に向かうにつれて屈曲するように配置されている。ホース状部３１Ｎの上端から最上部に位置する凝縮フィン５０の上面５１までの鉛直方向における高さ寸法はＨ２である。
【００９１】
図１９および図２０を対比して、樋形状部３１Ｍは、円筒を水平方向に沿って半割したときの下方側の部分から構成されており、ドレン水Ｗの搬送および滴下に寄与しない上方側の高さ分だけ、樋形状部３１Ｍは高さ寸法が小さくなっている。樋形状部３１Ｍにおいてはレイアウト上の省スペース化が図られており、高さ寸法Ｈ１（図１９参照）は、高さ寸法Ｈ２（図２０参照）よりも小さくすることが可能となっている。したがって凝縮装置２０Ｇの上方に樋形状部３１Ｍを有するドレン水供給部３１が配置されることによって、機械室１７（図１参照）の容積を縮小し、冷凍室１１（図１参照）および冷蔵室１２（図１参照）などの容積を増大することができる。
【００９２】
（第８変形例）
図２１を参照して、実施の形態１の第８変形例について説明する。本実施の形態の凝縮装置２０Ｈにおいては、樋形状部３１Ｍの流出口３１Ｔ側の部分に貯留部３１Ｐが設けられる。貯留部３１Ｐは、鉛直方向の下方に向かって凹む湾曲形状を有する。蒸発器１４（図１参照）からドレン水供給部３１に流れ出てきたドレン水Ｗは、凝縮フィン５０の表面に供給される前に、貯留部３１Ｐ内で一時的に貯留される。貯留部３１Ｐ内には、蒸発器１４（図１参照）からドレン水Ｗが継続的に供給される。
【００９３】
貯留部３１Ｐ内のドレン水Ｗは、ドレン水Ｗの量が所定量に到達するまで増加し続ける。ドレン水Ｗの量が所定量を超えた時、ドレン水Ｗは貯留部３１Ｐから凝縮フィン５０の表面に向かって流れ落ちる。ドレン水Ｗは、一定以上の量で凝縮フィン５０の表面に供給されるため、凝縮フィン５０の表面に付着した埃などは、ドレン水Ｗの水圧を受けて押し流される。一定以上の量を有するドレン水Ｗの水圧を利用して、ドレン水Ｗは凝縮フィン５０の表面全体に濡れ広がることもできる。
【００９４】
したがって凝縮装置２０Ｈの上方に貯留部３１Ｐを有するドレン水供給部３１が配置されることによって、埃は効果的に除去され、凝縮装置２０Ｈは従来に比べてさらに高い凝縮性能を発揮することができる。表面が洗浄された凝縮フィン５０はドレン水によって一層冷却されやすくなり、凝縮フィン５０の経年劣化もより一層抑制されることとなる。
【００９５】
（第９変形例）
図２２を参照して、実施の形態１の第９変形例について説明する。本実施の形態の凝縮装置２０Ｈ１においては、ドレン水供給部３１の途中部分（流出口３１Ｔよりも上流側の部分）に貯留部３１Ｑが設けられる。貯留部３１Ｑは、図示しない弁などを内蔵する。蒸発器１４（図１参照）からのドレン水Ｗは、凝縮フィン５０の表面に供給される前に、貯留部３１Ｑ内で一時的に貯留される。貯留部３１Ｑ内には、蒸発器１４（図１参照）からドレン水Ｗが継続的に供給される。
【００９６】
貯留部３１Ｑ内のドレン水Ｗは、ドレン水Ｗの量が所定量に到達するまで増加し続ける。ドレン水Ｗの量が所定量を超えた時、貯留部３１Ｑ内の弁が機械的または電気的に開放され、ドレン水Ｗは貯留部３１Ｑから凝縮フィン５０の表面に供給される。ドレン水Ｗは、一定以上の量で凝縮フィン５０の表面に供給されるため、凝縮フィン５０の表面に付着した埃などは、ドレン水Ｗの水圧を受けて押し流される。一定以上の量を有するドレン水Ｗの水圧を利用して、ドレン水Ｗは凝縮フィン５０の表面全体に濡れ広がることもできる。
【００９７】
したがって凝縮装置２０Ｈ１の上方に貯留部３１Ｑを有するドレン水供給部３１が配置されることによって、埃は効果的に除去され、凝縮装置２０Ｈ１は従来に比べてさらに高い凝縮性能を発揮することができる。表面が洗浄された凝縮フィン５０はドレン水によって一層冷却されやすくなり、凝縮フィン５０の経年劣化もより一層抑制されることとなる。
【００９８】
（第１０変形例）
図２３を参照して、実施の形態１の第１０変形例について説明する。本実施の形態の凝縮装置２０Ｊの上方には、噴霧部３１Ｕを有するドレン水供給部３１が配置される。噴霧部３１Ｕは、ドレン水を霧化した後、凝縮フィン５０の上方から凝縮フィン５０の表面に向かって霧状のドレン水を吹き付ける。ドレン水が霧状に噴霧されることで、ドレン水は、凝縮フィン５０上で蒸発しやすくなる。ドレン水は、潜熱を凝縮フィン５０から奪いやすくなる。
【００９９】
霧化されたドレン水のほぼ全てが凝縮フィン５０の表面で蒸発するため、ドレンパン９４（図２参照）等を設ける必要も無く、製造費用を低減することができる。ドレンパンを設けたとしても、ドレンパンの清掃作業はほとんど不要であり、清掃作業の頻度を少なくすることができる。ドレン水がドレンパン等の上に落下する際に発生する音（滴下音）も小さくなり、使用者の不快感を軽減することも可能となる。
【０１００】
（第１１変形例）
図２４を参照して、実施の形態１の第１１変形例について説明する。本実施の形態では、凝縮装置２０Ｊ１の側方に、噴霧部３１Ｕを有するドレン水供給部３１が配置される。噴霧部３１Ｕは、ドレン水を霧化した後、凝縮フィン５０の側方から凝縮フィン５０の表面に向かって霧状のドレン水を吹き付ける。ドレン水が霧状に噴霧されることで、ドレン水は、凝縮フィン５０上で蒸発しやすくなる。ドレン水は、潜熱を凝縮フィン５０から奪いやすくなる。
【０１０１】
霧化されたドレン水のほぼ全てが凝縮フィン５０の表面で蒸発するため、ドレンパン９４（図２参照）等を設ける必要も無く、製造費用を低減することができる。ドレンパンを設けたとしても、ドレンパンの清掃作業はほとんど不要であり、清掃作業の頻度を少なくすることができる。ドレン水がドレンパン等の上に落下する際に発生する音（滴下音）も小さくなり、使用者の不快感を軽減することも可能となる。
【０１０２】
［実施の形態２］
図２５および図２６を参照して、本実施の形態における凝縮装置２０Ｋについて説明する。図２５は、凝縮装置２０Ｋを示す斜視図である。図２６は、図２５中のＸＸＶＩ−ＸＸＶＩ線に沿った矢視断面図である。図２６では、説明上の便宜のため、１枚の凝縮フィン５０Ａのみが図示されている。凝縮装置２０Ｋに用いられる凝縮フィン５０Ａは、長手方向の中央部７１において折れ曲り、鉛直方向の下方に向かって凝縮フィン５０Ａの全体がＶ字状に屈曲する形状を有する。
【０１０３】
凝縮フィン５０Ａの表面に供給されたドレン水は、凝縮フィン５０Ａに形成された傾斜を利用して凝縮フィン５０Ａの外周縁から中央部７１に向かって広がるため、凝縮フィン５０Ａの全体が効率良く冷却される。ドレン水が中央部７１に向かって広がる時、凝縮フィン５０Ａの表面の埃も中央部７１に向かって運ばれる。中央部７１の付近に集まったドレン水は、その後、埃とともに下へ下へと順々に溢れ出るように流れる。複数の凝縮フィン５０Ａの全体が効率良く冷却されつつ、埃も除去されることとなる。
【０１０４】
したがって凝縮装置２０Ｋも、従来に比べてさらに高い凝縮性能を発揮することが可能となっている。凝縮装置２０Ｋによれば、凝縮フィン５０Ａの外周縁に付着した埃だけでなく、凝縮フィン５０Ａの上面および下面に付着した埃も除去される。表面が洗浄された凝縮フィン５０Ａは、ドレン水によって一層冷却されやすくなるため、凝縮フィン５０Ａの経年劣化をより一層抑制することができる。凝縮フィン５０Ａに形成された傾斜方向に鑑みて、ドレン水供給部の流出口の下方に、凝縮フィン５０Ａの外周縁寄りの部分が配置されるとなおよい。
【０１０５】
（第１変形例）
図２７および図２８を参照して、実施の形態２の第１変形例における凝縮装置２０Ｋ１について説明する。図２７は、凝縮装置２０Ｋ１を示す斜視図である。図２８は、図２７中のＸＸＶＩＩＩ−ＸＸＶＩＩＩ線に沿った矢視断面図である。図２８では、説明上の便宜のため、１枚の凝縮フィン５０Ｂのみが図示されている。凝縮装置２０Ｋ１に用いられる凝縮フィン５０Ｂは、長手方向の中央部７２において折れ曲り、鉛直方向の下方に向かって凝縮フィン５０Ｂの全体がＵ字状に湾曲する形状を有する。
【０１０６】
凝縮フィン５０Ｂの表面に供給されたドレン水は、凝縮フィン５０Ｂに形成された傾斜を利用して凝縮フィン５０Ｂの外周縁から中央部７２に向かって広がるため、凝縮フィン５０Ｂの全体が効率良く冷却される。ドレン水が中央部７２に向かって広がる時、凝縮フィン５０Ｂの表面の埃も中央部７２に向かって運ばれる。中央部７２の付近に集まったドレン水は、その後、埃とともに下へ下へと順々に溢れ出るように流れる。複数の凝縮フィン５０Ｂの全体が効率良く冷却されつつ、埃も除去されることとなる。
【０１０７】
したがって凝縮装置２０Ｋ１も、従来に比べてさらに高い凝縮性能を発揮することが可能となっている。凝縮装置２０Ｋ１によれば、凝縮フィン５０Ｂの外周縁に付着した埃だけでなく、凝縮フィン５０Ｂの上面および下面に付着した埃も除去される。表面が洗浄された凝縮フィン５０Ｂは、ドレン水によって一層冷却されやすくなるため、凝縮フィン５０Ｂの経年劣化をより一層抑制することができる。凝縮フィン５０Ｂに形成された傾斜方向に鑑みて、ドレン水供給部の流出口の下方に、凝縮フィン５０Ｂの外周縁寄りの部分が配置されるとなおよい。
【０１０８】
（第２変形例）
図２９を参照して、実施の形態２の第２変形例における凝縮装置２０Ｋ２について説明する。図２９は、凝縮装置２０Ｋ２に用いられる凝縮フィン５０Ｃを示す断面図である。凝縮装置２０Ｋ２に用いられる凝縮フィン５０Ｃには、下方に向かって凹む形状を有する凹部７３が設けられる。本実施の形態の凹部７３は、上面５１の一部に設けられ、上面５１の長手方向における略中央に位置している。
【０１０９】
凝縮フィン５０Ｃの表面に供給されたドレン水は、凝縮フィン５０Ｃに形成された凹部７３において所定の時間の間保持される。凝縮フィン５０Ｃは、一枚一枚が高い保持力でドレン水を保持することができるため、凝縮フィン５０Ｃは適切に冷却されることができる。凹部７３に集まったドレン水は、その後、埃とともに下へ下へと順々に溢れ出るように流れる。複数の凝縮フィン５０Ｃの全体が効率良く冷却されつつ、埃も除去されることとなる。したがって凝縮装置２０Ｋ２も、従来に比べてさらに高い凝縮性能を発揮することができる。
【０１１０】
（第３変形例）
図３０および図３１を参照して、実施の形態２の第３変形例における凝縮装置２０Ｌについて説明する。図３０は、凝縮装置２０Ｌを示す斜視図である。図３１は、図３０中のＸＸＸＩ−ＸＸＸＩ線に沿った矢視断面図である。凝縮装置２０Ｌに用いられる凝縮フィン５０Ｄの外周縁には、凝縮フィン５０Ｄの外側に向かうにつれて上方に向かって反る形状を有する反上部７４Ｍが設けられる。本変形例の反上部７４Ｍは、凝縮フィン５０Ｄの外周縁の全周にわたって設けられるが、反上部７４Ｍは凝縮フィン５０Ｄの外周縁の一部のみに設けられていてもよい。
【０１１１】
凝縮フィン５０Ｄの表面に供給されたドレン水は、凝縮フィン５０Ｄに形成された反上部７４Ｍによって、凝縮フィン５０Ｄの上面５１上で所定の時間の間保持される。凝縮フィン５０Ｄは、一枚一枚が高い保持力でドレン水を保持することができるため、凝縮フィン５０Ｄは適切に冷却されることができる。凝縮装置２０Ｌも、従来に比べてさらに高い凝縮性能を発揮することができる。
【０１１２】
凝縮フィン５０Ｄの外周縁の反上部７４Ｍは、凝縮フィン５０Ｄの作製時に凝縮フィン５０Ｄの外周縁に沿って金型が凝縮フィン５０Ｄの下面５２側から上面５１側に向かって抜かれることにより形成されているとよい。このような反上部７４Ｍは、凝縮フィン５０Ｄの外周縁に容易に形成されることができるため、製造上の都合もよい。
【０１１３】
（第４変形例）
図３２および図３３を参照して、実施の形態２の第４変形例における凝縮装置２０Ｌ１について説明する。図３２は、凝縮装置２０Ｌ１を示す斜視図である。図３３は、図３２中のＸＸＸＩＩＩ−ＸＸＸＩＩＩ線に沿った矢視断面図である。凝縮装置２０Ｌ１に用いられる凝縮フィン５０Ｅの外周縁には、凝縮フィン５０Ｅの外側に向かうにつれて下方に向かって反る形状を有する反下部７４Ｎが設けられる。本変形例の反下部７４Ｎは、凝縮フィン５０Ｅの外周縁の全周にわたって設けられるが、反下部７４Ｎは凝縮フィン５０Ｅの外周縁の一部のみに設けられていてもよい。
【０１１４】
凝縮フィン５０Ｅの表面に供給されたドレン水は、送風ファン（図示せず）からの気流を受けたり、その後に供給される他のドレン水と一体化したり、その後に供給される他のドレン水に押されたりする。ドレン水Ｗは、凝縮フィン５０Ｅの中央部に向かって広がったり、凝縮フィン５０Ｅの外周縁にまで移動したりする。
【０１１５】
凝縮フィン５０Ｅの外周縁に到達したドレン水は、凝縮フィン５０Ｅに形成された反下部７４Ｎによって、下方に案内されるようにして落下する。凝縮フィン５０Ｅの外周縁に付着した埃は効果的に除去され、洗浄された凝縮フィン５０Ｅはドレン水によって一層冷却されやすくなる。したがって凝縮装置２０Ｌ１も、従来に比べてさらに高い凝縮性能を発揮することができる。
【０１１６】
凝縮フィン５０Ｅの外周縁の反下部７４Ｎは、凝縮フィン５０Ｅの作製時に凝縮フィン５０Ｅの外周縁に沿って金型が凝縮フィン５０Ｅの上面５１側から下面５２側に向かって抜かれることにより形成されているとよい。このような反下部７４Ｎは、凝縮フィン５０Ｅの外周縁に容易に形成されることができるため、製造上の都合もよい。
【０１１７】
［実施の形態３］
図３４を参照して、本実施の形態における凝縮装置２０Ｍについて説明する。図３４は、凝縮装置２０Ｍを示す斜視図である。凝縮装置２０Ｍに用いられる凝縮フィン５０Ｇのうちの中央寄りの部分には、凝縮フィン５０Ｇの上面５１上に供給されたドレン水を下方に向かって導水するための貫通孔５９が設けられる。
【０１１８】
凝縮フィン５０Ｇの表面に供給されたドレン水は、送風ファン（図示せず）からの気流を受けたり、その後に供給される他のドレン水と一体化したり、その後に供給される他のドレン水に押されたりする。ドレン水は、凝縮フィン５０Ｇの中央部に向かって広がったり、凝縮フィン５０Ｇの外周縁にまで移動したりする。
【０１１９】
凝縮フィン５０Ｇの貫通孔５９に到達したドレン水は、貫通孔５９の内周面に沿って１つ下の凝縮フィン５０Ｇに向かって垂れ下がった後、凝縮フィン５０Ｇに接触して外側に向かって濡れ広がる。一方で、凝縮フィン５０Ｇの外周縁に到達したドレン水は、凝縮フィン５０Ｇの外周縁に沿って１つ下の凝縮フィン５０Ｇに向かって垂れ下がった後、凝縮フィン５０Ｇに接触して中央側に向かって濡れ広がる。凝縮装置２０Ｍによれば、凝縮フィン５０Ｇの外周縁からだけでなく、凝縮フィン５０Ｇの中央部からも凝縮フィン５０Ｇがドレン水によって冷却されるため、凝縮フィン５０Ｇの全体が効率良く冷却される。
【０１２０】
したがって凝縮装置２０Ｍも、従来に比べてさらに高い凝縮性能を発揮することが可能となっている。凝縮フィン５０Ｇの表面に付着した埃は、凝縮フィン５０Ｇの中央部付近に残留することがほとんど無く、埃は貫通孔５９を通して下へ下へと順次流れ落ちていく。凝縮フィン５０Ｇの表面に付着した埃は効果的に除去され、表面が洗浄された凝縮フィン５０Ｇはドレン水によって一層冷却されやすくなり、凝縮フィン５０Ｇの経年劣化もより一層抑制されることとなる。
【０１２１】
（第１変形例）
図３５を参照して、実施の形態３の第１変形例における凝縮装置２０Ｍ１について説明する。図３５は、凝縮装置２０Ｍ１を示す断面図である。凝縮装置２０Ｍ１に用いられる複数の凝縮フィン５０Ｇ１においては、貫通孔５９がＸ方向にいわゆる互い違いに配置される。貫通孔５９は、貫通孔５９（５９Ａ）をこれに対向する凝縮フィン５０Ｇ１に向かって鉛直方向に投影した時に得られる投影形状が、その対向する凝縮フィン５０Ｇ１に設けられた貫通孔５９（５９Ｂ）と重ならないようにずれて配置されている。
【０１２２】
凝縮フィン５０Ｇ１の表面に供給されたドレン水は、送風ファン（図示せず）からの気流を受けたり、その後に供給される他のドレン水と一体化したり、その後に供給される他のドレン水に押されたりする。ドレン水は、凝縮フィン５０Ｇ１の中央部に向かって広がったり、凝縮フィン５０Ｇ１の外周縁にまで移動したりする。
【０１２３】
凝縮フィン５０Ｇ１の貫通孔５９に到達したドレン水は、貫通孔５９の内周面に沿って１つ下の凝縮フィン５０Ｇ１に向かって垂れ下がった後、凝縮フィン５０Ｇ１に接触して外側に向かって濡れ広がり、凝縮フィン５０Ｇ１の上面５１上で一時的に保持される。貫通孔５９がいわゆる互い違いに配置されることによって、ドレン水は、１つ１つの凝縮フィン５０Ｇ１に所定の時間の間保持されやすくなっている。凝縮装置２０Ｍ１によれば、凝縮フィン５０Ｇ１の外周縁からだけでなく、凝縮フィン５０Ｇ１の中央部からも凝縮フィン５０Ｇ１がドレン水によって冷却されるため、凝縮フィン５０Ｇ１の全体が効率良く冷却される。
【０１２４】
したがって凝縮装置２０Ｍ１も、従来に比べてさらに高い凝縮性能を発揮することが可能となっている。凝縮フィン５０Ｇ１の表面に付着した埃は、凝縮フィン５０Ｇ１の中央部付近に残留することがほとんど無く、埃は貫通孔５９を通して下へ下へと順次流れ落ちていく。凝縮フィン５０Ｇ１の表面に付着した埃は効果的に除去され、表面が洗浄された凝縮フィン５０Ｇ１はドレン水によって一層冷却されやすくなり、凝縮フィン５０Ｇ１の経年劣化もより一層抑制されることとなる。
【０１２５】
（第２変形例）
図３６を参照して、実施の形態３の第２変形例における凝縮装置２０Ｍ２について説明する。図３６は、凝縮装置２０Ｍ２を示す断面図である。凝縮装置２０Ｍ２の凝縮フィン５０Ｇ２は、鉛直方向の下方に向かって凝縮フィン５０Ｇ２の全体がＶ字状に屈曲する形状を有し、凝縮フィン５０Ｇ２の中央部７１から側方に向かってずれた位置に、貫通孔５９が設けられている。
【０１２６】
凝縮フィン５０Ｇ２の表面に供給されたドレン水の一部は、凝縮フィン５０Ｇ２に形成された傾斜を利用して凝縮フィン５０Ｇ２の外周縁から中央部７１に向かって広がるため、凝縮フィン５０Ｇ２の全体が効率良く冷却される。一方で、凝縮フィン５０Ｇ２の表面に供給されたドレン水の他の一部は、貫通孔５９の内周面に沿って１つ下の凝縮フィン５０Ｇ２（図示せず）に向かって垂れ下がった後、凝縮フィン５０Ｇ２に接触する。凝縮装置２０Ｍ２によれば、凝縮フィン５０Ｇ２の外周縁からだけでなく、凝縮フィン５０Ｇ２の中央部からも凝縮フィン５０Ｇ２がドレン水によって冷却されるため、凝縮フィン５０Ｇ２の全体が効率良く冷却される。
【０１２７】
したがって凝縮装置２０Ｍ２も、従来に比べてさらに高い凝縮性能を発揮することが可能となっている。凝縮フィン５０Ｇ２の表面に付着した埃は、凝縮フィン５０Ｇ２の中央部付近に残留することがほとんど無く、埃は貫通孔５９を通して下へ下へと順次流れ落ちていく。凝縮フィン５０Ｇ２の表面に付着した埃は効果的に除去され、表面が洗浄された凝縮フィン５０Ｇ２はドレン水によって一層冷却されやすくなり、凝縮フィン５０Ｇ２の経年劣化もより一層抑制されることとなる。
【０１２８】
（第３変形例）
図３７を参照して、実施の形態３の第３変形例における凝縮装置２０Ｍ３について説明する。図３７は、凝縮装置２０Ｍ３を示す断面図である。凝縮装置２０Ｍ３の凝縮フィン５０Ｇ３は、鉛直方向の下方に向かって凝縮フィン５０Ｇ３の全体がＵ字状に湾曲する形状を有し、凝縮フィン５０Ｇ３の中央部７２から側方に向かってずれた位置に、貫通孔５９が設けられている。
【０１２９】
凝縮フィン５０Ｇ３の表面に供給されたドレン水の一部は、凝縮フィン５０Ｇ３に形成された傾斜を利用して凝縮フィン５０Ｇ３の外周縁から中央部７２に向かって広がるため、凝縮フィン５０Ｇ３の全体が効率良く冷却される。一方で、凝縮フィン５０Ｇ３の表面に供給されたドレン水の他の一部は、貫通孔５９の内周面に沿って１つ下の凝縮フィン５０Ｇ３（図示せず）に向かって垂れ下がった後、凝縮フィン５０Ｇ３に接触する。凝縮装置２０Ｍ３によれば、凝縮フィン５０Ｇ３の外周縁からだけでなく、凝縮フィン５０Ｇ３の中央部からも凝縮フィン５０Ｇ３がドレン水によって冷却されるため、凝縮フィン５０Ｇ３の全体が効率良く冷却される。
【０１３０】
したがって凝縮装置２０Ｍ３も、従来に比べてさらに高い凝縮性能を発揮することが可能となっている。凝縮フィン５０Ｇ３の表面に付着した埃は、凝縮フィン５０Ｇ３の中央部付近に残留することがほとんど無く、埃は貫通孔５９を通して下へ下へと順次流れ落ちていく。凝縮フィン５０Ｇ３の表面に付着した埃は効果的に除去され、表面が洗浄された凝縮フィン５０Ｇ３はドレン水によって一層冷却されやすくなり、凝縮フィン５０Ｇ３の経年劣化もより一層抑制されることとなる。
【０１３１】
［実施の形態４］
図３８を参照して、本実施の形態における凝縮装置２０Ｎについて説明する。図３８は、凝縮装置２０Ｎを示す斜視図である。凝縮装置２０Ｎに用いられる凝縮フィン５０Ｈの外周縁は、凝縮フィン５０Ｈの内側に向かって延びる切込部７５を含む。本実施の形態においては、凝縮フィン５０Ｈの外周縁５４（一方の短辺側）および凝縮フィン５０Ｈの外周縁５６（他方の短辺側）のそれぞれに、切込部７５が設けられる。
【０１３２】
本実施の形態における切込部７５は、凝縮フィン５０Ｈの内側に向かうにつれて幅狭となるテーパー形状を有する。切込部７５は、凝縮フィン５０Ｈの内側に向かうにつれて幅狭とならないような矩形状の形状を有していてもよいし、凝縮フィン５０Ｈの内側に向かうにつれて幅広となるようなテーパー形状を有していてもよい。本実施の形態における切込部７５のうちの最内側の部分は、尖り形状をさらに有する。切込部７５のうちの最内側の部分は、丸みを帯びていてもよい。
【０１３３】
凝縮フィン５０Ｈの表面に供給されたドレン水は、送風ファン（図示せず）からの気流を受けたり、その後に供給される他のドレン水と一体化したり、その後に供給される他のドレン水に押されたりする。ドレン水は、凝縮フィン５０Ｈの中央部に向かって広がったり、凝縮フィン５０Ｈの外周縁にまで移動したりする。
【０１３４】
凝縮フィン５０Ｈの切込部７５に到達したドレン水は、切込部７５の内周面に沿って１つ下の凝縮フィン５０Ｈに向かって垂れ落ちる（矢印ＡＲ１０参照）。本実施の形態における切込部７５は、凝縮フィン５０Ｈの内側に向かうにつれて幅狭となるテーパー形状を有しているため、切込部７５に到達したドレン水は、切込部７５の内周面に沿って滑らかに垂れ落ちることができる。
【０１３５】
さらに、本実施の形態における切込部７５のうちの最内側の部分は尖り形状を有しているため、切込部７５のドレン水への表面張力が小さく、切込部７５に到達したドレン水は、切込部７５の内周面に沿って１つ下の凝縮フィン５０Ｈに向かってより滑らかに垂れ落ちることができる。１つ下の凝縮フィン５０Ｈに垂れ落ちたドレン水は、その凝縮フィン５０Ｈの表面上で中央側に向かって濡れ広がる。凝縮装置２０Ｈによれば、凝縮フィン５０Ｈの外周縁から中央側に向かってドレン水が効果的に濡れ広がるため、凝縮フィン５０Ｈの全体が効率良く冷却される。
【０１３６】
したがって凝縮装置２０Ｎも、従来に比べてさらに高い凝縮性能を発揮することが可能となっている。凝縮フィン５０Ｈの表面に付着した埃は、凝縮フィン５０Ｈの表面に残留することがほとんど無く、埃は切込部７５を通して下へ下へと順次流れ落ちていく。凝縮フィン５０Ｈの表面に付着した埃は効果的に除去され、表面が洗浄された凝縮フィン５０Ｈはドレン水によって一層冷却されやすくなり、凝縮フィン５０Ｈの経年劣化もより一層抑制されることとなる。
【０１３７】
（第１変形例）
図３９を参照して、実施の形態４の第１変形例における凝縮装置２０Ｎ１について説明する。図３９は、凝縮装置２０Ｎ１に用いられる凝縮フィン５０Ｈ１を示す斜視図である。凝縮装置２０Ｎ１に用いられる凝縮フィン５０Ｈ１の外周縁も、凝縮フィン５０Ｈ１の内側に向かって延びる切込部７５を含む。本変形例においては、凝縮フィン５０Ｈ１の外周縁５３（一方の長辺側）および凝縮フィン５０Ｈ１の外周縁５５（他方の長辺側）のそれぞれに、切込部７５が設けられる。
【０１３８】
凝縮フィン５０Ｈ１の外周縁には、凝縮フィン５０Ｈ１の外側に向かうにつれて下方に向かって反る形状を有する反下部７４Ｎも設けられる。本変形例においては、凝縮フィン５０Ｈ１の外周縁５４（一方の短辺側）および凝縮フィン５０Ｈ１の外周縁５６（他方の短辺側）のそれぞれに、反下部７４Ｎが設けられる。
【０１３９】
凝縮フィン５０Ｈ１の表面に供給されたドレン水は、送風ファン（図示せず）からの気流を受けたり、その後に供給される他のドレン水と一体化したり、その後に供給される他のドレン水に押されたりする。ドレン水は、凝縮フィン５０Ｈ１の中央部に向かって広がったり、凝縮フィン５０Ｈ１の外周縁にまで移動したりする。
【０１４０】
凝縮フィン５０Ｈ１の切込部７５に到達したドレン水は、切込部７５の内周面に沿って１つ下の凝縮フィン５０Ｈ１（図示せず）に向かって垂れ下がった後、その凝縮フィン５０Ｈ１に接触して中央側に向かって濡れ広がる。一方で、凝縮フィン５０Ｈ１の外周縁５４，５６に到達したドレン水は、凝縮フィン５０Ｈ１に形成された反下部７４Ｎによって、下方に案内されるようにして落下し、１つ下の凝縮フィン５０Ｈ１（図示せず）に向かって垂れ下がった後、その凝縮フィン５０Ｈ１に接触して中央側に向かって濡れ広がる。
【０１４１】
凝縮装置２０Ｎ１によれば、凝縮フィン５０Ｈ１の外周縁からだけでなく、凝縮フィン５０Ｈ１の中央側からも凝縮フィン５０Ｈ１がドレン水によって冷却されるため、凝縮フィン５０Ｈ１の全体が効率良く冷却される。凝縮フィン５０Ｈ１の外周縁５４，５６に付着した埃は効果的に除去され、洗浄された凝縮フィン５０Ｈ１はドレン水によって一層冷却されやすくなる。
【０１４２】
したがって凝縮装置２０Ｎ１も、従来に比べてさらに高い凝縮性能を発揮することが可能となっている。凝縮フィン５０Ｈ１の表面に付着した埃は、凝縮フィン５０Ｈ１の表面に残留することがほとんど無く、埃は切込部７５および反下部７４Ｎを通して下へ下へと順次流れ落ちていく。凝縮フィン５０Ｈ１の表面に付着した埃は効果的に除去され、表面が洗浄された凝縮フィン５０Ｈ１はドレン水によって一層冷却されやすくなり、凝縮フィン５０Ｈ１の経年劣化もより一層抑制されることとなる。
【０１４３】
（第２変形例）
図４０を参照して、実施の形態４の第２変形例における凝縮装置２０Ｎ２について説明する。図４０は、凝縮装置２０Ｎ２を示す斜視図である。凝縮装置２０Ｎ２に用いられる複数の凝縮フィン５０Ｈ２においては、切込部７５がＸ方向にいわゆる互い違いに配置される。切込部７５は、切込部７５（７５Ａ）をこれに対向する凝縮フィン５０Ｈ２に向かって鉛直方向に投影した時に得られる投影形状が、その対向する凝縮フィン５０Ｈ２に設けられた切込部７５（７５Ｂ）と重ならないようにずれて配置されている。
【０１４４】
凝縮フィン５０Ｈ２の表面に供給されたドレン水は、送風ファン（図示せず）からの気流を受けたり、その後に供給される他のドレン水と一体化したり、その後に供給される他のドレン水に押されたりする。ドレン水は、凝縮フィン５０Ｈ２の中央部に向かって広がったり、凝縮フィン５０Ｈ２の外周縁にまで移動したりする。
【０１４５】
凝縮フィン５０Ｈ２の切込部７５に到達したドレン水は、切込部７５の内周面に沿って１つ下の凝縮フィン５０Ｈ２に向かって垂れ下がった後、凝縮フィン５０Ｈ２に接触して中央側に向かって濡れ広がり、その凝縮フィン５０Ｈ２の上面５１上で一時的に保持される。切込部７５がいわゆる互い違いに配置されることによって、ドレン水は、１つ１つの凝縮フィン５０Ｈ２に所定の時間の間保持されやすくなっている。凝縮装置２０Ｎ２によれば、凝縮フィン５０Ｈ２の外周縁からだけでなく、凝縮フィン５０Ｈ２の中央部からも凝縮フィン５０Ｈ２がドレン水によって冷却されるため、凝縮フィン５０Ｈ２の全体が効率良く冷却される。
【０１４６】
したがって凝縮装置２０Ｎ２も、従来に比べてさらに高い凝縮性能を発揮することが可能となっている。凝縮フィン５０Ｈ２の表面に付着した埃は、凝縮フィン５０Ｈ２の中央部付近に残留することがほとんど無く、埃は切込部７５を通して下へ下へと順次流れ落ちていく。凝縮フィン５０Ｈ２の表面に付着した埃は効果的に除去され、表面が洗浄された凝縮フィン５０Ｈ２はドレン水によって一層冷却されやすくなり、凝縮フィン５０Ｈ２の経年劣化もより一層抑制されることとなる。
【０１４７】
（第３変形例）
図４１を参照して、実施の形態４の第３変形例における凝縮装置２０Ｎ３について説明する。図４１は、凝縮装置２０Ｎ３に用いられる凝縮フィン５０Ｈ３を示す斜視図である。凝縮フィン５０Ｈ３においては、切込部７５を形成する凝縮フィン５０Ｈ３の外周縁が、凝縮フィン５０Ｈ３の上面５１から切込部７５の内側に向かうにつれて下方に向かって湾曲する表面形状を有する。
【０１４８】
凝縮フィン５０Ｈ３の表面に供給されたドレン水は、送風ファン（図示せず）からの気流を受けたり、その後に供給される他のドレン水と一体化したり、その後に供給される他のドレン水に押されたりする。ドレン水は、凝縮フィン５０Ｈ３の中央部に向かって広がったり、凝縮フィン５０Ｈ３の外周縁にまで移動したりする。
【０１４９】
凝縮フィン５０Ｈ３の外周縁に到達したドレン水は、凝縮フィン５０Ｈ３に形成された切込部７５の内側の湾曲表面よって、下方に案内されるようにして落下する。ドレン水は、切込部７５の内側の湾曲表面に沿って１つ下の凝縮フィン５０Ｈ３（図示せず）に向かって垂れ下がった後、その凝縮フィン５０Ｈ３に接触して中央側に向かって濡れ広がる。凝縮フィン５０Ｈ３の表面に付着した埃は効果的に除去され、洗浄された凝縮フィン５０Ｈ３はドレン水によって一層冷却されやすくなる。したがって凝縮装置２０Ｎ３も、従来に比べてさらに高い凝縮性能を発揮することができる。
【０１５０】
（第４変形例）
図４２を参照して、実施の形態４の第４変形例における凝縮装置２０Ｐについて説明する。図４２は、凝縮装置２０Ｐに用いられる凝縮フィン５０Ｊを示す平面図である。凝縮フィン５０Ｊの外周縁も、凝縮フィン５０Ｊの内側に向かって延びる切込部７５を含む。本変形例の切込部７５は、凝縮フィン５０Ｊの内側に向かうにつれて幅狭とはならず、矩形状の形状を有している。当該構成によっても、上記と同様の作用および効果を得ることができる。
【０１５１】
［実施の形態５］
図４３を参照して、本実施の形態における凝縮装置２０Ｑについて説明する。図４３は、凝縮装置２０Ｑに用いられる凝縮フィン５０Ｋを示す平面図である。凝縮フィン５０Ｋの外周縁は、凹凸部７６を含む。
【０１５２】
凹凸部７６は、凝縮フィン５０Ｋの外側に向かって凸となる凸状部７７と、凝縮フィン５０Ｋの内側に向かって凹となる凹状部７８とが、周方向に沿って複数並ぶことにより形成されている。本実施の形態の凹凸部７６は、いわゆる鋸歯形状（ギザギザ形状）を有している。本実施の形態の凹凸部７６は、凝縮フィン５０Ｋの外周縁の全周にわたって設けられるが、凹凸部７６は凝縮フィン５０Ｋの外周縁の一部のみに設けられていてもよい。
【０１５３】
凝縮フィン５０Ｋの外周縁に設けられた鋸歯形状の凹凸部７６に送風ファン（図示せず）からの冷却空気が接触する時、その冷却空気と凝縮フィン５０Ｋの表面との間に存在している境界層は、凹凸部７６によって破壊されやすくなる。その結果、凝縮フィン５０Ｋの表面で行われる熱交換が促進され、凝縮フィン５０Ｋは高い凝縮性能を発揮することが可能となる。
【０１５４】
（第１変形例）
図４４を参照して、実施の形態５の第１変形例における凝縮装置２０Ｑ１について説明する。図４４は、凝縮装置２０Ｑ１に用いられる凝縮フィン５０Ｋ１を示す平面図である。凝縮フィン５０Ｋ１の外周縁も、凹凸部７６を含む。本変形例の凹凸部７６は、いわゆる三角波形状を有する。凹凸部７６の凸状部７７は、凝縮フィン５０Ｋ１の外側に向かうにつれて先細りとなるテーパー形状を有する。凸状部７７のうちの最外側の部分の曲率半径は、０．５ｍｍ以下であるとよい。
【０１５５】
本変形例においては、凝縮フィン５０Ｋ１の外周縁５４（一方の短辺側）および凝縮フィン５０Ｋ１の外周縁５６（他方の短辺側）のそれぞれに、切込部７５が設けられる。本変形例の凹凸部７６は、切込部７５が設けられている部分を除いて、凝縮フィン５０Ｋ１の外周縁の全周にわたって設けられている。
【０１５６】
凝縮フィン５０Ｋ１の外周縁に設けられた三角波形状の凹凸部７６に送風ファン（図示せず）からの冷却空気が接触する時も、その冷却空気と凝縮フィン５０Ｋ１の表面との間に存在している境界層は、凹凸部７６によって破壊されやすくなる。その結果、凝縮フィン５０Ｋ１の表面で行われる熱交換が促進され、凝縮フィン５０Ｋ１は高い凝縮性能を発揮することが可能となる。
【０１５７】
凸状部７７が凝縮フィン５０Ｋ１の外側に向かうにつれて先細りとなるテーパー形状を有しているため、冷却空気と凝縮フィン５０Ｋ１の表面との間に存在している境界層は、凹凸部７６によってより一層破壊されやすくなる。凝縮フィン５０Ｋ１の表面で行われる熱交換がさらに促進され、凝縮フィン５０Ｋ１はより高い凝縮性能を発揮することが可能となる。凸状部７７のうちの最外側の部分の曲率半径が０．５ｍｍ以下である場合には、さらに高い効果を得ることができる。
【０１５８】
（第２変形例）
図４５〜図４８を参照して、実施の形態５の第２変形例における凝縮装置２０Ｑ２について説明する。図４５は、凝縮装置２０Ｑ２を示す斜視図である。図４６は、凝縮装置２０Ｑ２に用いられる凝縮フィン５０Ｋ２を示す平面図である。図４７は、送風ファン９０から凝縮装置２０Ｑ２に冷却空気が供給されている時の様子を示す斜視図である。図４８は、送風ファン９０から凝縮装置２０Ｑ２に冷却空気が供給されている時の様子を示す他の斜視図である。
【０１５９】
図４５および図４６に示すように、凝縮フィン５０Ｋ２の外周縁も、凹凸部７６を含む。凹凸部７６の凸状部７７（図４６参照）は、凝縮フィン５０Ｋ２の外側に向かうにつれて先細りとなるテーパー形状を有する。凸状部７７のうちの最外側の部分の曲率半径は、０．５ｍｍ以下であるとよい。凹凸部７６の凹状部７８（図４６参照）は、隣り合う凸状部７７同士を接続する半円弧状の形状を有する。凹凸部７６の凹状部７８（図４６参照）は、半円弧状の形状に限られず、隣り合う凸状部７７同士を接続する滑らかな曲線状の形状（たとえば、凹凸の無い曲線状の形状）を有していてもよい。
【０１６０】
本変形例においても、凝縮フィン５０Ｋ２の外周縁５４（一方の短辺側）および凝縮フィン５０Ｋ２の外周縁５６（他方の短辺側）のそれぞれに、切込部７５が設けられる。本変形例の凹凸部７６は、切込部７５が設けられている部分を除いて、凝縮フィン５０Ｋ２の外周縁の全周にわたって設けられている。
【０１６１】
図４７および図４８を参照して、凝縮フィン５０Ｋ２の外周縁に設けられた凹凸部７６に送風ファン９０からの冷却空気が接触する時も、その冷却空気と凝縮フィン５０Ｋ２の表面との間に存在している境界層は、凹凸部７６によって破壊されやすくなる。その結果、凝縮フィン５０Ｋ２の表面で行われる熱交換が促進され、凝縮フィン５０Ｋ２は高い凝縮性能を発揮することが可能となる。
【０１６２】
凸状部７７が凝縮フィン５０Ｋ２の外側に向かうにつれて先細りとなるテーパー形状を有しているため、冷却空気と凝縮フィン５０Ｋ２の表面との間に存在している境界層は、凹凸部７６によってより一層破壊されやすくなる。凝縮フィン５０Ｋ２の表面で行われる熱交換がさらに促進され、凝縮フィン５０Ｋ２はより高い凝縮性能を発揮することが可能となる。凸状部７７のうちの最外側の部分の曲率半径が０．５ｍｍ以下である場合には、さらに高い効果を得ることができる。
【０１６３】
凝縮フィン５０Ｋ２においては、凸状部７７が凝縮フィン５０Ｋ２の外側に向かうにつれて先細りとなるテーパー形状を有しているため、冷却空気が凸状部７７に接触する時に、凸状部７７を基端とする渦（図４８中の矢印ＤＲ７０参照）が発生する。凸状部７７を基端として発生した渦によって、凹状部７８の近傍を基端とする渦も発生する。これらの渦の発生については、上述の実施の形態５の凝縮フィン５０Ｋ（図４３参照）およびその第１変形例の凝縮フィン５０Ｋ１（図４４参照）についても同様である。
【０１６４】
凝縮フィン５０Ｋ２の外周縁の長さ（周長）は、凝縮フィン５０Ｋ２と略同一の表面積を有し且つ平面視において矩形形状を有する凝縮フィン（凹凸部７６を持たない四角フィン）の外周縁の長さよりも長い。凝縮フィン５０Ｋ２は、比較的に長い外周縁を有するが、凝縮フィン５０Ｋ２の外周縁には埃２００が付着しにくい。凝縮フィン５０Ｋ２の外周縁に付着しようとしている埃２００に対して、上記の渦（矢印ＤＲ７０）は捩る方向の力を及ぼし、埃２００は凝縮フィン５０Ｋ２の外周縁に付着することなく渦の流れとともに下流側に向かって流れる。
【０１６５】
したがって、本変形例の凝縮装置２０Ｑ２も、高い放熱性能を有しており、従来に比べて高い凝縮性能を発揮することが可能となっている。埃２００が効果的に除去され、表面が洗浄された凝縮フィン５０Ｋ２はドレン水によって一層冷却されやすくなる。埃２００が効果的に除去されるため、凝縮フィン５０Ｋ２の経年劣化を抑制することもできる。
【０１６６】
（第３変形例）
図４９を参照して、実施の形態５の第３変形例における凝縮装置２０Ｑ３について説明する。図４９は、凝縮装置２０Ｑ３に用いられる凝縮フィン５０Ｋ３を示す平面図である。凝縮フィン５０Ｋ３の外周縁も、凹凸部７６を含む。凹凸部７６の凸状部７７は、凝縮フィン５０Ｋ２の外側に向かうにつれて先細りとなるテーパー形状を有する。凸状部７７のうちの最外側の部分の曲率半径は、０．５ｍｍ以下であるとよい。凹凸部７６の凹状部７８は、離間して隣り合う凸状部７７同士を直線状に接続する形状を有する。
【０１６７】
凝縮フィン５０Ｋ３の外周縁に設けられた凹凸部７６に送風ファン９０からの冷却空気が接触する時も、その冷却空気と凝縮フィン５０Ｋ３の表面との間に存在している境界層は、凹凸部７６によって破壊されやすくなる。その結果、凝縮フィン５０Ｋ３の表面で行われる熱交換が促進され、凝縮フィン５０Ｋ３は高い凝縮性能を発揮することが可能となる。
【０１６８】
凝縮フィン５０Ｋ３においても、凸状部７７が凝縮フィン５０Ｋ３の外側に向かうにつれて先細りとなるテーパー形状を有しているため、冷却空気が凸状部７７に接触する時に、凸状部７７を基端とする渦（矢印ＤＲ７０）が発生する。凝縮フィン５０Ｋ３の外周縁に付着しようとしている埃２００に対して、渦（矢印ＤＲ７０）は捩る方向の力を及ぼし、埃２００は凝縮フィン５０Ｋ３の外周縁に付着することなく渦の流れとともに下流側に向かって流れる。
【０１６９】
したがって、本変形例の凝縮装置２０Ｑ３も、高い放熱性能を有しており、従来に比べて高い凝縮性能を発揮することが可能となっている。埃２００が効果的に除去され、表面が洗浄された凝縮フィン５０Ｋ３はドレン水によって一層冷却されやすくなる。埃２００が効果的に除去されるため、凝縮フィン５０Ｋ３の経年劣化を抑制することもできる。
【０１７０】
（第４変形例）
図５０〜図５２参照して、実施の形態５の第４変形例における凝縮装置２０Ｒについて説明する。図５０は、凝縮装置２０Ｒを示す側面図である。図５１は、凝縮装置２０Ｒに用いられる凝縮フィン５０Ｌを示す側面図である。図５２は、送風ファン（図示せず）から凝縮装置２０Ｒに冷却空気が供給されている時の様子を示す側面図である。凝縮装置２０Ｒに用いられる凝縮フィン５０Ｌの外周縁も、凹凸部７６を含む。
【０１７１】
図５０および図５１に示すように、凝縮フィン５０Ｌは、凹状部７８寄りの部分から凸状部７７寄りの部分に向かうにつれて、凝縮フィン５０Ｌの下面５２側から上面５１側に向かって湾曲するように形成されている。凸状部７７のうちの最外側の部分は、凝縮フィン５０Ｌの上面５１側に向かって指向する鋭角形状を有している。
【０１７２】
図５１を参照して、凸状部７７のうちの最外側の部分の曲率半径Ｒ２は、０．５ｍｍ以下であるとよい。複数の凸状部７７のうちの最外側の部分の曲率半径Ｒ２は、同一の値であってもよいし、２種類以上の値を含んでいてもよい。凸状部７７のうちの最外側の部分がくさび状の形状を有する場合、そのくさび角θ２は、９０°以下であるとよい。複数の凸状部７７のくさび角θ２は、同一の値であってもよいし、２種類以上の値を含んでいてもよい。
【０１７３】
凝縮フィン５０Ｌに対して垂直な方向（本変形例では鉛直方向）において、凸状部７７の上面５１からの高さ寸法Ｈ２は、折り曲げ加工により凹凸部７６の凸状部７７を形成する場合たとえば０．５ｍｍ〜２．０ｍｍであり、金型の抜き方向により凹凸部７６の凸状部７７を形成する場合たとえば０．０１ｍｍ〜０．５ｍｍである。複数の凸状部７７の高さ寸法Ｈ２は、同一の値であってもよいし、２種類以上の値を含んでいてもよい。凝縮フィン５０Ｌの上面５１に対して平行な方向（本変形例では水平方向）において、隣り合う凸状部７７同士の間の間隔Ｐ２は、たとえば３．３ｍｍである。複数の凸状部７７の間隔Ｐ２は、同一の値であってもよいし、２種類以上の値を含んでいてもよい。
【０１７４】
凝縮フィン５０Ｌの上面５１に対して平行な方向（本変形例では水平方向）において、凸状部７７の幅Ｗ２は、たとえば１．３８ｍｍである。複数の凸状部７７の幅Ｗ２は、同一の値であってもよいし、２種類以上の値を含んでいてもよい。
【０１７５】
図５０を参照して、凝縮フィン５０Ｌの表面に供給されたドレン水Ｗは、凝縮フィン５０Ｌに形成された凸状部７７によって、凝縮フィン５０Ｌの上面５１上で所定の時間の間保持されやすくなる。凸状部７７のうちの最外側の部分が上面５１側に向かって指向する鋭角形状を有していることにより、ドレン水Ｗは、凝縮フィン５０Ｌの上面５１上でより長く保持されることができる。凝縮フィン５０Ｌは、一枚一枚が高い保持力でドレン水Ｗを保持することができるため、凝縮フィン５０Ｌは適切に冷却されることができる。凝縮装置２０Ｒも、従来に比べてさらに高い凝縮性能を発揮することができる。
【０１７６】
図５２を参照して、一方で、凝縮フィン５０Ｌの外周縁に設けられた凹凸部７６に送風ファン（図示せず）からの冷却空気（矢印ＡＲ９０参照）が接触する時、その冷却空気と凝縮フィン５０Ｌの表面との間に存在している境界層は、凹凸部７６によって破壊されやすくなる。本変形例においては、凹状部７８寄りの部分から凸状部７７寄りの部分に向かうにつれて、凝縮フィン５０Ｌが下面５２側から上面５１側に向かって湾曲するように形成されているため、境界層が破壊される領域はより大きくなる。その結果、凝縮フィン５０Ｌの表面で行われる熱交換は、より一層促進される。凝縮フィン５０Ｌは高い凝縮性能を発揮することが可能となる。
【０１７７】
凝縮フィン５０Ｌにおいても、凸状部７７が凝縮フィン５０Ｌの外側に向かうにつれて先細りとなるテーパー形状を有しているため、冷却空気が凸状部７７に接触する時に、凸状部７７を基端とする渦（矢印ＤＲ７０）が発生する。複数の凸状部７７の形状および配置間隔などが異なっている場合、渦はより乱れた状態で形成される。凝縮フィン５０Ｌの外周縁に付着しようとしている埃２００に対して、渦（矢印ＤＲ７０）は捩る方向の力を及ぼし、埃２００は凝縮フィン５０Ｌの外周縁に付着することなく渦の流れとともに下流側に向かって流れる。
【０１７８】
したがって、本変形例の凝縮装置２０Ｒも、高い放熱性能を有しており、従来に比べて高い凝縮性能を発揮することが可能となっている。埃２００が効果的に除去され、表面が洗浄された凝縮フィン５０Ｌはドレン水Ｗによって一層冷却されやすくなる。埃２００が効果的に除去されるため、凝縮フィン５０Ｌの経年劣化を抑制することもできる。本変形例によれば、たとえば、凝縮装置２０Ｒの単体では２０％程度の凝縮性能の上昇が見込まれ、冷凍冷蔵庫の全体では１０％程度のエネルギー使用効率の上昇が見込まれる。
【０１７９】
本変形例の凝縮フィン５０Ｌは、凹状部７８寄りの部分から凸状部７７寄りの部分に向かうにつれて、凝縮フィン５０Ｌの下面５２側から上面５１側に向かって湾曲するように形成されている。本変形例の凝縮フィン５０Ｌは、凹状部７８寄りの部分から凸状部７７寄りの部分に向かうにつれて、凝縮フィン５０Ｌの上面５１側から下面５２側に向かって湾曲するように形成されていてもよい。
【０１８０】
この場合、凝縮フィン５０Ｌの外周縁に到達したドレン水は、下方に案内されるようにして落下する。凝縮フィン５０Ｌの外周縁に付着した埃は効果的に除去され、洗浄された凝縮フィン５０Ｌはドレン水によって一層冷却されやすくなる。このような凝縮フィン５０Ｌにおいても、冷却空気が凸状部７７に接触する時に、境界層が破壊され、凸状部７７を基端とする渦が発生する。埃２００は、凝縮フィン５０Ｌの外周縁に付着することなく渦の流れとともに下流側に向かって流れる。埃２００は効果的に除去され、高い放熱性能が得られる。
【０１８１】
［実施の形態６］
図５３および図５４を参照して、本実施の形態における凝縮装置２０Ｓについて説明する。図５３は、凝縮装置２０Ｓを示す斜視図である。図５４は、凝縮装置２０Ｓに用いられるエンドプレート８０を示す斜視図である。図５３に示すように、凝縮装置２０Ｓは、最上部に位置する凝縮フィン５０に上方から対向するように配置されたエンドプレート８０をさらに備える。
【０１８２】
図５４を参照して、エンドプレート８０は、３つの平板部８０Ｌ，８０Ｍ，８０Ｎおよび４つの導水孔８３〜８６を含む。平板部８０Ｌ，８０Ｍ，８０Ｎは、それぞれ平板状の形状を有する。平板部８０Ｌは、凝縮器４１〜４３（図５３参照）の中の最上部に位置する凝縮フィン５０に上方から対向する部位である。平板部８０Ｍは、平板部８０Ｌに対して垂直な方向に設けられ、平板部８０Ｌの端部から鉛直方向の下方に向かって延びている。平板部８０Ｎは、凝縮器４４（図５３参照）の中の最上部に位置する凝縮フィン５０に上方から対向する部位であり、平板部８０Ｍの端部から平板部８０Ｍに対して垂直な方向に向かって延びている。
【０１８３】
導水孔８３〜８５は、平板部８０Ｌに設けられ、上面８１から下面８２に向かって平板部８０Ｌを貫通している。導水孔８３は、Ｘ方向に延びる形状を有し、導水孔８３のＸ方向における長さは、凝縮器４１（図５３参照）の凝縮フィン５０に設けられた挿入孔５７（図４参照）から挿入孔５８（図４参照）までの寸法に対応している。エンドプレート８０が凝縮器４１〜４４の上方に取り付けられた状態においては、導水孔８３は、凝縮器４１の凝縮フィン５０の長手方向（Ｘ方向）に沿うように延在する。
【０１８４】
導水孔８４および導水孔８５は、Ｙ方向に延びる形状をそれぞれ有し、互いに平行な位置関係となるように形成される。導水孔８４のＹ方向における長さは、凝縮器４２（図５３参照）の凝縮フィン５０に設けられた挿入孔５７（図４参照）から、凝縮器４３（図５３参照）の凝縮フィン５０に設けられた挿入孔５７までの寸法に対応している。導水孔８５のＹ方向における長さは、凝縮器４２（図５３参照）の凝縮フィン５０に設けられた挿入孔５８（図４参照）から、凝縮器４３（図５３参照）の凝縮フィン５０に設けられた挿入孔５８までの寸法に対応している。エンドプレート８０が凝縮器４１〜４４の上方に取り付けられた状態においては、導水孔８３，８４は、凝縮器４２，４３の凝縮フィン５０の短手方向（Ｙ方向）に沿うように延在する。
【０１８５】
導水孔８６は、平板部８０Ｎに設けられ、上面８１から下面８２に向かって平板部８０Ｎを貫通している。導水孔８６は、Ｘ方向に延びる形状を有し、導水孔８６のＸ方向における長さは、凝縮器４４（図５３参照）の凝縮フィン５０に設けられた挿入孔５７（図４参照）から挿入孔５８（図４参照）までの寸法に対応している。エンドプレート８０が凝縮器４１〜４４の上方に取り付けられた状態においては、導水孔８６は、凝縮器４４の凝縮フィン５０の長手方向（Ｘ方向）に沿うように延在する。
【０１８６】
本実施の形態の凝縮装置２０Ｓの上方には、１つのドレン水供給部３５が配置される。ドレン水供給部３５は、管状の形状を有し、ドレン水を流出する流出口３５Ｔがその下端に設けられる。エンドプレート８０は、平板部８０Ｌの中央寄りの部分８０Ｐ（図５４参照）が流出口３５Ｔの下方に位置するように配置される。
【０１８７】
以上のように構成されるエンドプレート８０の導水孔８３〜８６には、冷媒管６０（図５３参照）が挿し込まれる。冷媒管６０は、エンドプレート８０によって保持される。エンドプレート８０は、冷凍冷蔵庫などを構成する筺体など（図示せず）に固定される。導水孔８３〜８６に挿し込まれた冷媒管６０は、エンドプレート８０を通して筺体などに固定される。冷媒管６０はエンドプレート８０によって保持され、冷媒管６０に固定された複数の凝縮フィン５０は、安定した設置状態を形成することが可能となっている。
【０１８８】
流出口３５Ｔから滴下されたドレン水は、エンドプレート８０の上面８１に接触し、その上面８１上で水滴を形成したり、その上面８１上で濡れ広がったりする。その後、ドレン水は、送風ファン９０（図５３参照）からの気流を受けたり、その後に供給されるドレン水と一体化したり、その後に供給されるドレン水に押されたりする。ドレン水は、導水孔８３〜８６に向かって移動したり、エンドプレート８０の外周縁に向かって移動したりする。
【０１８９】
導水孔８３〜８６に到達したドレン水は、導水孔８３〜８６を形成するエンドプレート８０の内周面に沿って下方に向かって垂れ下がる。ドレン水は、凝縮器４１〜４４の中の最上部に位置する凝縮フィン５０の上面に向かって垂れ落ちる（下方移動する）。下方移動して凝縮フィン５０に接触したドレン水は、送風ファン９０からの気流を受けたり、その後に下方移動する他のドレン水と一体化したり、その後に下方移動する他のドレン水に押されたりする。
【０１９０】
ドレン水は、凝縮フィン５０の外周縁に向かって移動した後、さらに１つ下に配置されている凝縮フィン５０の外周縁に向かって垂れ落ちる。ドレン水の一部は、移動する時に蒸発し、凝縮フィン５０から潜熱を奪う。ドレン水のうちの蒸発しなかったものは、最下部に位置する凝縮フィン５０にまで到達した後、ドレンパン９４内に落下する。
【０１９１】
流出口３５Ｔから滴下されたドレン水は、このような移動と落下（下方移動）とを繰り返しながら、凝縮フィン５０と熱交換したり、凝縮フィン５０上で蒸発したりする。凝縮装置２０Ｓにおいては、複数の凝縮フィン５０が鉛直方向（矢印Ｚ方向）に相互間隔をあけ、且つ鉛直方向に隣り合う凝縮フィン５０の面同士が鉛直方向に対向するように配置されているため、凝縮フィン５０の１枚１枚は、ドレン水を所定の時間の間保持することが可能となっている。
【０１９２】
したがって、流出口３５Ｔからエンドプレート８０に滴下されたドレン水は、上記のような移動と落下（下方移動）とを比較的ゆっくりと繰り返すことによって、１枚１枚の凝縮フィン５０を効果的に冷却することができる。このような動作は、凝縮器４１〜４４（図５参照）において共通して行われる。
【０１９３】
複数の凝縮フィン５０の周囲を流れる気流によって複数の凝縮フィン５０が冷やされるだけでなく、ドレン水供給部３５から複数の凝縮フィン５０に供給されたドレン水によっても、複数の凝縮フィン５０は十分に冷やされることができる。したがって本実施の形態の凝縮装置２０Ｓも、高い放熱性能を有しており、従来に比べて高い凝縮性能を発揮することが可能となっている。
【０１９４】
上述のとおり、冷媒管６０はエンドプレート８０によって保持され、冷媒管６０に固定された複数の凝縮フィン５０は、安定した設置状態を形成することが可能となっている。ドレン水はエンドプレート８０の上面８１上に一旦供給された後、濡れ広がって導水孔８３〜８６に流れる。本実施の形態においては、１つのドレン水供給部３５によって、凝縮器４１〜４４にドレン水を十分に行き渡らせることが可能となっている。必要に応じて、複数のドレン水供給部が用いられてもよい。
【０１９５】
導水孔８３〜８６は、冷媒管６０をエンドプレート８０に固定するための機能と、ドレン水供給部３５からエンドプレート８０の上面８１上に供給されたドレン水を下方に向かって導水するための機能とを兼ねている。エンドプレート８０に設けられた導水孔８３〜８６は、設計レイアウト上においても高い利便性を有している。
【０１９６】
凝縮器４１に関して、エンドプレート８０に設けられた導水孔８３は、最上部に位置する凝縮フィン５０のうちの中央寄りの部分の上方に位置している。導水孔８３を通して垂れ落ちたドレン水は、凝縮器４１の中の最上部に位置する凝縮フィン５０の中央寄りの部分に落下する。凝縮フィン５０の上面上において、ドレン水は中央寄りの部分から外周縁に向かって全体に広がるため、凝縮フィン５０の全体は効率良く冷却される。凝縮器４４とエンドプレート８０に設けられた導水孔８６との配置関係からも、同様の作用および効果を得ることができる。
【０１９７】
（第１変形例）
図５５〜図５７を参照して、実施の形態６の第１変形例について説明する。図５５は、本変形例におけるエンドプレート８０Ａを示す斜視図である。図５６は、図５５中のＬＶＩ−ＬＶＩ線に沿った矢視断面図である。図５７は、図５５中のＬＶＩＩ−ＬＶＩＩ線に沿った矢視断面図である。
【０１９８】
図５５〜図５７に示すように、エンドプレート８０Ａも、導水孔８３〜８６を備える。導水孔８３〜８６を形成するエンドプレート８０Ａの内周面は、エンドプレート８０Ａの上面８１から導水孔８３〜８６の内側に向かうにつれて、下方に向かって湾曲する表面形状を有している。
【０１９９】
エンドプレート８０Ａの表面に供給されたドレン水Ｗは、送風ファン（図示せず）からの気流を受けたり、その後に供給される他のドレン水Ｗと一体化したり、その後に供給される他のドレン水Ｗに押されたりする。ドレン水Ｗは、エンドプレート８０Ａの中央部に向かって広がったり、エンドプレート８０Ａの外周縁にまで移動したりする。
【０２００】
エンドプレート８０Ａの導水孔８３〜８６に到達したドレン水Ｗは、導水孔８３〜８６に形成された湾曲形状によって、下方に案内されるようにして落下する。エンドプレート８０Ａに供給されたドレン水Ｗは、そのほとんどが凝縮器４１〜４４の冷却に供される。したがってエンドプレート８０Ａを備える凝縮装置も、従来に比べてさらに高い凝縮性能を発揮することができる。
【０２０１】
導水孔８３〜８６を形成するエンドプレート８０Ａの内周面は、エンドプレート８０Ａの上面８１から導水孔８３〜８６の内側に向かうにつれて、下方に向かって屈曲する表面形状を有していてもよい。当該構成によっても、エンドプレート８０Ａの導水孔８３〜８６に到達したドレン水Ｗは、導水孔８３〜８６に形成された屈曲形状の傾斜部分を利用して下方に案内されるようにして落下するため、上記同様の作用および効果を得ることができる。
【０２０２】
（第２変形例）
エンドプレートは、上述の各実施の形態および各変形例に記載した凝縮フィンと同様の形状を有していてもよい。たとえば、図２５および図２６を参照して上述したように、エンドプレート（平板部８０Ｌおよび平板部８０Ｎ）は、鉛直方向の下方に向かってＶ字状に屈曲する形状を有していてもよい。図２７および図２８を参照して上述したように、エンドプレートは、鉛直方向の下方に向かってＵ字状に湾曲する形状を有していてもよい。
【０２０３】
図２９を参照して上述したように、エンドプレート（平板部８０Ｌおよび平板部８０Ｎ）の上面の一部には、下方に向かって凹む形状を有する凹部が設けられていてもよい。図３０および図３１を参照して上述したように、エンドプレートの外周縁には、エンドプレートの外側に向かうにつれて上方に向かって反る形状を有する反上部が設けられていてもよい。図３２および図３３を参照して上述したように、エンドプレートの外周縁には、エンドプレートの外側に向かうにつれて下方に向かって反る形状を有する反下部が設けられていてもよい。
【０２０４】
図３４を参照して上述したように、エンドプレートには、導水孔８３〜８６とは別の貫通孔が設けられていてもよい。図３８を参照して上述したように、エンドプレートの外周縁には、内側に向かって延びる切込部が設けられていてもよい。図４１および図４２を参照して上述したように、切込部を形成するエンドプレートの外周縁は、エンドプレートの上面８１から切込部の内側に向かうにつれて下方に向かって湾曲する表面形状を有していてもよい。
【０２０５】
図４３〜図４９を参照して上述したように、エンドプレートの外周縁には、エンドプレートの外側に向かって凸となる凸状部と、エンドプレートの内側に向かって凹となる凹状部とが、周方向に沿って複数並ぶことにより形成された凹凸部が設けられていてもよい。図５０〜図５２を参照して上述したように、エンドプレートは、凹状部寄りの部分から凸状部寄りの部分に向かうにつれて、エンドプレートの上面および下面のうちの一方側からエンドプレートの上面および下面のうちの他方側に向かって湾曲するように形成されていてもよい。
【０２０６】
［実施の形態７］
図５８および図５９を参照して、本実施の形態における凝縮装置２０Ｔについて説明する。図５８は、凝縮装置２０Ｔを示す斜視図である。図５９は、図５８中のＬＩＸ線によって囲まれた領域を拡大して示す斜視図である。凝縮装置２０Ｔは、凝縮フィン５０の表面に供給されたドレン水をドレン水と接触しながらドレンパン９４内に案内する滴下音防止部材８８を備える。
【０２０７】
図５９に示すように、本実施の形態の滴下音防止部材８８は、挟持部８７および案内部８９を含む。挟持部８７は、略Ｃ字状の形状を有する。挟持部８７の内周面の形状は、冷媒管６０の下方曲管部６３の外形形状に対応している。案内部８９は、挟持部８７の下部に設けられる。案内部８９は、角柱状の形状を有し、鉛直方向の上方から下方に向かって延びている。挟持部８７が冷媒管６０の下方曲管部６３を挟持することで、滴下音防止部材８８は冷媒管６０に取り付けられる。滴下音防止部材８８は冷媒管６０以外の部材に取り付けられていてもよい。
【０２０８】
凝縮フィン５０の冷却に使用されたドレン水のうちの蒸発しなかったものは、最下部に位置する凝縮フィン５０にまで到達する。滴下音防止部材８８に接触したドレン水は、案内部８９の表面をつたって、案内部８９の下端８９Ｔにまで到達する。その後、ドレン水は案内部８９の下端８９Ｔからドレンパン９４の表面９４Ｔに向かって落下する。凝縮装置２０Ｔにおいては、ドレン水の落下距離が滴下音防止部材８８によって短くされており、ドレン水の滴下音は、滴下音防止部材８８が設けられない場合に比べて小さくなっている。
【０２０９】
したがって、本実施の形態の凝縮装置２０Ｔによれば、使用者の不快感を軽減することも可能となっている。本実施の形態の滴下音防止部材８８は、挟持部８７を利用して冷媒管６０に容易に取り付けられることができるため、組立時の負担も軽減されている。
【０２１０】
滴下音防止部材８８の下端８９Ｔとドレンパン９４の表面９４Ｔとの間には、鉛直方向において、３ｍｍ〜５ｍｍ程度の間隔Ｈ３が設けられているとよい。滴下音防止部材８８がドレンパン９４に過度に近接している場合、滴下音防止部材８８が共振することにより騒音が発生したり、滴下音防止部材８８が振動することにより滴下音防止部材８８が破損したりすることがある。滴下音防止部材８８の下端８９Ｔがドレンパン９４の表面９４Ｔから３ｍｍ〜５ｍｍ程度の範囲で離れていることにより、滴下音の発生を抑制しながら、安定してドレン水をドレンパン９４内に導くことが可能となる。
【０２１１】
［実験例］
図６０〜図６２を参照して、上述の実施の形態７に関して行なった実験例および実験結果について説明する。本実験例では、滴下音防止部材８８とドレンパン９４との間の間隔Ｈ３を変更したときの、騒音の大きさの変化を測定した。
【０２１２】
（実験例１）
図６０の縦軸は、冷凍サイクル運転を停止させ、且つ凝縮装置２０Ｔにドレン水を供給している状態で、ドレンパン９４の近傍から発生した騒音の大きさを示している。図６０の横軸は、滴下音防止部材８８の下端８９Ｔとドレンパン９４の表面９４Ｔとの間の間隔Ｈ３を示している。
【０２１３】
線ＬＬ１に示されるように、冷凍サイクル運転を停止させ、且つ凝縮装置２０Ｔにドレン水を供給している状態においては、間隔Ｈ３が０ｍｍ〜５ｍｍの範囲では騒音がほとんど発生していないことがわかる。間隔Ｈ３が５ｍｍを超えると騒音が徐々に大きくなることがわかる。
【０２１４】
（実験例２）
図６１の縦軸は、冷凍サイクル運転を行ない、且つ凝縮装置２０Ｔにドレン水を供給していない状態で、ドレンパン９４の近傍から発生した騒音の大きさを示している。図６１の横軸は、滴下音防止部材８８の下端８９Ｔとドレンパン９４の表面９４Ｔとの間の間隔Ｈ３を示している。
【０２１５】
線ＬＬ２に示されるように、冷凍サイクル運転を行ない、且つ凝縮装置２０Ｔにドレン水を供給していない状態においては、間隔Ｈ３を０ｍｍから大きくするにつれて騒音が急峻に小さくなることがわかる。間隔Ｈ３が３ｍｍを超えると騒音はほとんど発生しなくなることがわかる。
【０２１６】
（実験例３）
図６２の縦軸は、冷凍サイクル運転を行ない、且つ凝縮装置２０Ｔにドレン水を供給している状態で、ドレンパン９４の近傍から発生した騒音の大きさを示している。図６２の横軸は、滴下音防止部材８８の下端８９Ｔとドレンパン９４の表面９４Ｔとの間の間隔Ｈ３を示している。
【０２１７】
線ＬＬ３に示されるように、冷凍サイクル運転を行ない、且つ凝縮装置２０Ｔにドレン水を供給している状態においては、間隔Ｈ３を０ｍｍから大きくするにつれて騒音が急峻に小さくなることがわかる。間隔Ｈ３が３ｍｍ〜５ｍｍの範囲では、騒音はほとんど発生しなくなることがわかる。間隔Ｈ３が５ｍｍを超えると騒音が徐々に大きくなることがわかる。
【０２１８】
したがって本実験例の実験結果によれば、滴下音防止部材８８の下端８９Ｔとドレンパン９４の表面９４Ｔとの間には、鉛直方向において、３ｍｍ〜５ｍｍ程度の間隔Ｈ３が設けられているとよいことがわかる。
【０２１９】
［他の変形例］
上述の各実施の形態は、４つの凝縮器４１〜４４を備える凝縮装置に基づき説明したが、本発明の凝縮装置は、凝縮器４１〜４４のうちの１つを備えていてもよい。上述の各実施の形態では、凝縮フィンが全体として略平板状の形状を有する板状の部材から構成されているが、凝縮フィンは、ワイヤーが板状に形成されたものから構成されていてもよいし、板状の部材がメッシュ状に形成されたものから構成されていてもよい。
【０２２０】
上述の各実施の形態は、冷凍室および冷蔵室を備えた冷凍冷蔵庫に基づき説明したが、本発明の凝縮装置は、冷凍冷蔵庫への適用に限られるものではない。本発明の凝縮装置は、冷凍室のみを備えた冷凍冷蔵庫、冷蔵室のみを備えた冷凍冷蔵庫、床置き型の冷風機、壁取付け型の冷風機、および、冷風機能を有する空気調和機などにも適用されることが可能である。
【０２２１】
以上、本発明に基づいた各実施の形態および各実験例について説明したが、今回開示された各実施の形態および各実験例はすべての点で例示であって制限的なものではない。本発明の技術的範囲は特許請求の範囲によって示され、特許請求の範囲と均等の意味および範囲内でのすべての変更が含まれることが意図される。
【０２２２】
＜付記＞
上記の各実施の形態および各変形例のうちの一部または全部は、以下の付記のようにも記載され得るが、以下に限定されるものではない。
【０２２３】
＜付記１＞
鉛直方向に相互間隔をあけ且つ各々が鉛直方向に対向するように配置された複数の凝縮フィンを含み、ドレン水供給部から上記凝縮フィンにドレン水が供給される凝縮器を備え、
上記凝縮フィンの外周縁は、上記凝縮フィンの内側に向かって延びる切込部を含み、
上記凝縮フィンは、上記ドレン水供給部から上記凝縮フィンの表面に供給された上記ドレン水と上記凝縮フィンの周囲を流れる気流とによって冷やされながら、上記凝縮フィンに接触するように配置された冷媒管内を流れる冷媒と熱交換する、
凝縮装置。
【０２２４】
＜付記２＞
上記切込部のうちの最内側の部分は、尖り形状を有する、
付記１に記載の凝縮装置。
【０２２５】
＜付記３＞
上記切込部は、上記凝縮フィンの内側に向かうにつれて幅狭となるテーパー形状を有する、
付記１または２に記載の凝縮装置。
【０２２６】
＜付記４＞
上記切込部は、上記切込部をこれに対向する上記凝縮フィンに向かって鉛直方向に投影したときに得られる投影形状が、その対向する上記凝縮フィンに設けられた上記切込部と重ならないようにずれて配置されている、
付記１から３のいずれかに記載の凝縮装置。
【０２２７】
＜付記５＞
上記切込部を形成する上記凝縮フィンの外周縁は、上記凝縮フィンの上面から上記切込部の内側に向かうにつれて下方に向かって湾曲する表面形状を有する、
付記１から４のいずれかに記載の凝縮装置。
【０２２８】
＜付記６＞
上記凝縮フィンには、上記凝縮フィンの上面上に供給された上記ドレン水を下方に向かって導水するための貫通孔が設けられる、
付記１から５のいずれかに記載の凝縮装置。
【０２２９】
＜付記７＞
上記貫通孔は、上記貫通孔をこれに対向する上記凝縮フィンに向かって鉛直方向に投影したときに得られる投影形状が、その対向する上記凝縮フィンに設けられた上記貫通孔と重ならないようにずれて配置されている、
付記６に記載の凝縮装置。
【０２３０】
＜付記８＞
最上部に位置する上記凝縮フィンに上方から対向するように配置されたエンドプレートをさらに備え、
上記エンドプレートは、上記ドレン水供給部から上記エンドプレートの上面上に供給された上記ドレン水を下方に向かって導水するための導水孔を有する、
付記１から７のいずれかに記載の凝縮装置。
【０２３１】
＜付記９＞
上記導水孔を形成する上記エンドプレートの内周面は、上記エンドプレートの上面から上記導水孔の内側に向かうにつれて下方に向かって湾曲または屈曲する表面形状を有する、
付記８に記載の凝縮装置。
【０２３２】
＜付記１０＞
上記導水孔は、最上部に位置する上記凝縮フィンのうちの中央寄りの部分の上方に位置している、
付記８または９に記載の凝縮装置。
【０２３３】
＜付記１１＞
上記ドレン水供給部は、上記ドレン水を流出する流出部を有し、
最上部に位置する上記凝縮フィンは、最上部に位置する上記凝縮フィンのうちの中央寄りの部分が上記流出部の下方に位置するように配置されている、
付記１から７のいずれかに記載の凝縮装置。
【０２３４】
＜付記１２＞
上記凝縮フィンの外周縁は、上記凝縮フィンの外側に向かうにつれて上方に向かって反る形状を有する反上部を含む、
付記１から１１のいずれかに記載の凝縮装置。
【０２３５】
＜付記１３＞
上記凝縮フィンの上面の一部には、下方に向かって凹む形状を有する凹部が設けられる、
付記１から１２のいずれかに記載の凝縮装置。
【０２３６】
＜付記１４＞
上記凝縮フィンの表面には、親水性コート処理が施されている、
付記１から１３のいずれかに記載の凝縮装置。
【０２３７】
＜付記１５＞
上記凝縮フィンの表面には、電食防止コート処理が施されている、
付記１から１４のいずれかに記載の凝縮装置。
【０２３８】
＜付記１６＞
最下部に位置する上記凝縮フィンよりも下方に配置されたドレンパンをさらに備え、
上記凝縮フィンの表面に供給された上記ドレン水は、上記凝縮フィンの表面に付着した埃とともに上記ドレンパン内に向かって落下する、
付記１から１５のいずれかに記載の凝縮装置。
【０２３９】
＜付記１７＞
上記ドレン水供給部は、上記凝縮フィンの表面に上記ドレン水を供給する前に上記ドレン水を一時的に貯留可能な貯留部を有する、
付記１から１６のいずれかに記載の凝縮装置。
【０２４０】
＜付記１８＞
最下部に位置する上記凝縮フィンよりも下方に配置されたドレンパンと、
上方から下方に向かって延びるように設けられ、上記凝縮フィンの表面に供給された上記ドレン水を上記ドレン水と接触しながら上記ドレンパン内に案内する滴下音防止部材と、をさらに備える、
付記１から１５のいずれかに記載の凝縮装置。
【０２４１】
＜付記１９＞
上記滴下音防止部材は、上記冷媒管に取り付けられている、
付記１８に記載の凝縮装置。
【０２４２】
＜付記２０＞
上記凝縮フィンの外周縁は、上記凝縮フィンの外側に向かって凸となる凸状部と上記凝縮フィンの内側に向かって凹となる凹状部とが複数並ぶことにより形成された凹凸部を含む、
付記１から１９のいずれかに記載の凝縮装置。
【０２４３】
＜付記２１＞
上記凸状部は、上記凝縮フィンの外側に向かうにつれて先細りとなるテーパー形状を有し、
上記凹状部は、隣り合う上記凸状部同士を接続する滑らかな曲線状の形状を有する、
付記２０に記載の凝縮装置。
【０２４４】
＜付記２２＞
付記１から２１のいずれかに記載の凝縮装置を備える、
冷凍冷蔵庫。
【符号の説明】
【０２４５】
１０  筺体、１１  冷凍室、１１Ｄ  冷凍室用扉、１２  冷蔵室、１２Ｄ  冷蔵室用扉、１３  冷却風路、１４  蒸発器、１５  除霜装置、１６  ドレン水配管、１６Ｍ  集水口、１６Ｎ  排水口、１７  機械室、１８  吸気口、１９  排気口、２０，２０Ａ，２０Ｂ，２０Ｃ，２０Ｄ，２０Ｅ，２０Ｆ，２０Ｇ，２０Ｇ１，２０Ｈ，２０Ｈ１，２０Ｊ，２０Ｊ１，２０Ｋ，２０Ｋ１，２０Ｋ２，２０Ｌ，２０Ｌ１，２０Ｍ，２０Ｍ１，２０Ｍ２，２０Ｍ３，２０Ｎ，２０Ｎ１，２０Ｎ２，２０Ｎ３，２０Ｐ，２０Ｑ，２０Ｑ１，２０Ｑ２，２０Ｑ３，２０Ｒ，２０Ｓ，２０Ｔ  凝縮装置、３０，３１，３２，３３，３４，３５  ドレン水供給部、３１Ｍ  樋形状部、３１Ｎ  ホース状部、３１Ｐ，３１Ｑ  貯留部、３１Ｔ，３２Ｔ，３３Ｔ，３４Ｔ，３５Ｔ  流出口、３１Ｕ  噴霧部、４１，４２，４３，４４，４５  凝縮器、５０，５０Ａ，５０Ｂ，５０Ｃ，５０Ｄ，５０Ｅ，５０Ｇ，５０Ｇ１，５０Ｇ２，５０Ｇ３，５０Ｈ，５０Ｈ１，５０Ｈ２，５０Ｈ３，５０Ｊ，５０Ｋ，５０Ｋ１，５０Ｋ２，５０Ｋ３，５０Ｌ  凝縮フィン、５１，８１  上面、５１Ｃ，５１Ｄ，８０Ｐ  部分、５２，８２  下面、５３，５４，５５，５６  外周縁、５７，５８  挿入孔、５９  貫通孔、６０  冷媒管、６１  直管部、６２  上方曲管部、６３  下方曲管部、７１，７２  中央部、７３  凹部、７４Ｍ  反上部、７４Ｎ  反下部、７５  切込部、７６  凹凸部、７７  凸状部、７８  凹状部、８０，８０Ａ  エンドプレート、８０Ｌ，８０Ｍ，８０Ｎ  平板部、８３，８４，８５，８６  導水孔、８７  挟持部、８８  滴下音防止部材、８９  案内部、８９Ｔ  下端、９０  送風ファン、９２  圧縮機、９４  ドレンパン、９４Ｔ  表面、１００  冷凍冷蔵庫、２００  埃、３００  駆動装置、ＡＲ１０，ＡＲ９０，ＤＲ２，ＤＲ３，ＤＲ７０，Ｘ，Ｙ，Ｚ  矢印、Ｈ１，Ｈ２，Ｌ１，Ｌ２，Ｌ３  寸法、Ｈ３，Ｐ２  間隔、ＬＬ１，ＬＬ２，ＬＬ３  線、Ｒ２  曲率半径、Ｗ  ドレン水、Ｗ２  幅、θ２  くさび角。
【図１】
2014059072.tif 000003
【図４】
2014059072.tif 000004
【図６】
2014059072.tif 000005
【図７】
2014059072.tif 000006
【図８】
2014059072.tif 000007
【図９】
2014059072.tif 000008
【図１０】
2014059072.tif 000009
【図１２】
2014059072.tif 000010
【図１３】
2014059072.tif 000011
【図１４】
2014059072.tif 000012
【図１５】
2014059072.tif 000013
【図１６】
2014059072.tif 000014
【図１７】
2014059072.tif 000015
【図１８】
2014059072.tif 000016
【図１９】
2014059072.tif 000017
【図２０】
2014059072.tif 000018
【図２１】
2014059072.tif 000019
【図２２】
2014059072.tif 000020
【図２３】
2014059072.tif 000021
【図２４】
2014059072.tif 000022
【図２５】
2014059072.tif 000023
【図２６】
2014059072.tif 000024
【図２７】
2014059072.tif 000025
【図２８】
2014059072.tif 000026
【図２９】
2014059072.tif 000027
【図３０】
2014059072.tif 000028
【図３１】
2014059072.tif 000029
【図３２】
2014059072.tif 000030
【図３３】
2014059072.tif 000031
【図３４】
2014059072.tif 000032
【図３５】
2014059072.tif 000033
【図３６】
2014059072.tif 000034
【図３７】
2014059072.tif 000035
【図３８】
2014059072.tif 000036
【図３９】
2014059072.tif 000037
【図４０】
2014059072.tif 000038
【図４１】
2014059072.tif 000039
【図４２】
2014059072.tif 000040
【図４３】
2014059072.tif 000041
【図４４】
2014059072.tif 000042
【図４５】
2014059072.tif 000043
【図４６】
2014059072.tif 000044
【図４７】
2014059072.tif 000045
【図４８】
2014059072.tif 000046
【図４９】
2014059072.tif 000047
【図５０】
2014059072.tif 000048
【図５１】
2014059072.tif 000049
【図５２】
2014059072.tif 000050
【図５４】
2014059072.tif 000051
【図５５】
2014059072.tif 000052
【図５６】
2014059072.tif 000053
【図５７】
2014059072.tif 000054
【図６０】
2014059072.tif 000055
【図６１】
2014059072.tif 000056
【図６２】
2014059072.tif 000057
【図２】
2014059072.tif 000058
【図３】
2014059072.tif 000059
【図５】
2014059072.tif 000060
【図１１】
2014059072.tif 000061
【図５３】
2014059072.tif 000062
【図５８】
2014059072.tif 000063
【図５９】
2014059072.tif 000064